(57)【要約】【課題】  アクセスポイントの変更が、単独のモバイル送受信機の開始で実行されず、該モバイル送受信機特有の動作環境の分析の後にモビリティ管理部によって実行される遠隔通信システムを提供する。【解決手段】  本発明は、モバイル送受信機ＥＲＭと、多数のアクセスポイントであって、それぞれ、そのサービスエリアＺＡ１ｉ又はＺＡ２ｊに位置するモバイル送受信機ＥＲＭと通信可能なアクセスポイントＰＡ１ｉ及びＰＡ２ｊと、これらアクセスポイントとの間の通信を可能にする通信ネットワークＮＷ１とを備えた遠隔通信システムＳＹＳＴに関する。本発明のシステムは、アクセスポイントの動作状況を基に、どのアクセスポイントとモバイル送受信機ＥＲＭとが通信を確立するかを判別可能な少なくとも１のモビリティ管理部ＧＭを備える。
2005510988.tif 000002
【特許請求の範囲】
【請求項１】
少なくとも１台のモバイル送受信機と、
複数のアクセスポイントであって、それぞれ、そのサービスエリアに前記モバイル送受信機が配置された場合に、該モバイル送受信機と通信可能なアクセスポイントと、
前記複数のアクセスポイント間の通信を可能にする通信ネットワークと、
を備える遠隔通信システムであって、
さらに、前記アクセスポイントの動作状況に応じて、前記モバイル送受信機が通信を確立しなければならない特定のアクセスポイントを識別することができる少なくとも１つのモビリティ管理部を有し
前記モバイル送受信機が、該モバイル送受信機が通信している現アクセスポイントに隣接する少なくとも１つのアクセスポイントと確立できる通信の品質を少なくとも１回測定するための測定手段を有し、
前記測定手段が、前記モバイル送受信機と、前記現アクセスポイントとの間の通信の品質が規定参照閾値に低下した場合だけ動作する、
ことを特徴とする遠隔通信システム。
【請求項２】
前記モバイル送受信機が、さらに、前記モビリティ管理部からの参照閾値を受信した後に前記参照閾値を記憶するための記憶手段を備えることを特徴とする請求項１に記載の遠隔通信システム。
【請求項３】
前記モバイル送受信機が、さらに、前記現アクセスポイントと通信状態にある場合、該現アクセスポイントに隣接するアクセスポイントのリストを記憶する記憶手段を有し、前記リストが前記モビリティ管理部によって前記モバイル送受信機に送信され続けることを特徴とする請求項１又は２に記載の遠隔通信システム。
【請求項４】
前記モバイル送受信機が、さらに、現アクセスポイントに隣接するアクセスポイントとの通信が現アクセスポイントとの通信よりもより良好な品質である旨の品質測定結果が得られた場合、現アクセスポイントに隣接するアクセスポイントとの通信を確立するため、ハンドオーバリクエストと呼ばれるリクエストを前記モビリティ管理部に送るための手段を備えることを特徴とする請求項１乃至３の何れか１項に記載の遠隔通信システム。
【請求項５】
前記ハンドオーバリクエストが、前記モバイル送受信機によって行われた品質測定結果を含み、前記モビリティ管理部が、該結果を分析し、該分析結果及び前記アクセスポイントの動作状況から、前記モバイル送受信機が通信をすべき特定の隣接アクセスポイントを識別するための識別情報を特定し、前記識別情報を該モバイル送受信機へ伝達するための手段を有することを特徴とする請求項４に記載の遠隔通信システム。
【請求項６】
前記モビリティ管理部と関連して前記アクセスポイントの動作状況に関する情報を記憶するためのデータベースを有することを特徴とする請求項１乃至５の何れか１項に記載の遠隔通信システム。
【請求項７】
前記アクセスポイントと前記通信ネットワークとの間に少なくとも２台のインターフェース装置を有し、各インターフェース装置が、アクセスポイントの所定のグループと通信できることを特徴とする請求項１乃至６の何れか１項に記載の遠隔通信システム。
【請求項８】
前記各アクセスポイントが、単一のインターフェース装置とのみ通信可能なことを特徴とする請求項７に記載の遠隔通信システム。
【請求項９】
前記モビリティ管理部が、少なくとも１つのインターフェース装置に設けられることを特徴とする請求項７又は８に記載の遠隔通信システム。
【請求項１０】
請求項１乃至９に記載の前記遠隔通信システムが有する前記モバイル送受信機の機能を実現可能な装置。
【請求項１１】
請求項１乃至９の何れか１項に記載の前記遠隔通信システムが有する前記モビリティ管理部の機能を実現可能な装置。
【請求項１２】
少なくとも１台のモバイル送受信機と、複数のアクセスポイントであって、それぞれ、そのサービスエリアに前記モバイル送受信機が配置された場合に該モバイル送受信機と通信可能なアクセスポイントと、前記複数のアクセスポイント間の通信を可能にする通信ネットワークとに適用されるデータ通信方法であって、
前記複数のアクセスポイントの動作状況に応じて、前記モビリティ管理部が、前記モバイル送受信機が通信を確立しなければならない特定のアクセスポイントを識別するステップを少なくとも１つ含み、
さらに、該モバイル送受信機が現アクセスポイントに隣接する少なくとも１つのアクセスポイントとの接続を確立し、これによって該モバイル送受信機が通信状態となり、この通信の品質を該モバイル送受信機が測定する品質測定ステップであって、該モバイル送受信機と該アクセスポイントとの間の通信の品質が規定参照閾値以下に低下した場合にのみ実行される品質測定ステップを含むことを特徴とするデータ通信方法。
【請求項１３】
前記モビリティ管理部からの参照閾値の受信に続き、前記モバイル送受信機が前記参照閾値を記憶するステップをさらに含むことを特徴とする請求項１２に記載のデータ通信方法。
【請求項１４】
現アクセスポイントと通信状態にある場合、前記モバイル送受信機が、該現アクセスポイントに隣接するアクセスポイントのリストを記憶し、該リストがモビリティ管理部によって前記モバイル送受信機に送信される記憶ステップをさらに含むことを特徴とする請求項１２又は１３に記載のデータ通信方法。
【請求項１５】
モビリティ管理部が隣接アクセスポイントのリストを生成するためのステップをさらに含み、該リストが、対象となる該モバイル送受信機に特有の動作環境情報に基づいて生成されることを特徴とする請求項１４に記載のデータ通信方法。
【請求項１６】
前記モバイル送受信機特有の動作環境情報が、
ユーザの所定のグループ内の、前記送受信機ユーザの自明性及び該グループに指定された少なくとも１の所定のアクセスポイントへのアクセス許可と、
異なる種類の通信システムにリンクされた異なるアクセスポイントへの通信が許可されたユーザによる事前捕捉と、
所定の地域における前記モバイル送受信機のユーザの地理的位置及び該地域に対して用意された少なくとも１つの所定のアクセスポイントへのアクセス許可と、
のリストに一致するプロファイルを特に示すものであることを特徴とする請求項１５に記載のデータ通信方法。
【請求項１７】
隣接するアクセスポイントとの通信の品質が、現アクセスポイントよりも良好である旨の品質測定結果が得られた場合、前記モバイル送受信機が、現アクセスポイントに隣接するアクセスポイントとの通信を確立するために前記モビリティ管理部へハンドオーバリクエストを送信するステップをさらに含むことを特徴とする請求項１２乃至１６の何れか１項に記載のデータ通信方法。
【請求項１８】
前記ハンドオーバリクエストが、前記モバイル送受信機によって実行される品質測定の結果を含み、前記モビリティ管理部が実行する識別ステップが、前記品質測定の結果の分析のためのサブステップと、前記分析結果及びアクセスポイントの動作状況から、前記モバイル送受信機が通信を行う特定の隣接アクセスポイントの識別情報を特定するためのサブステップと、前記モバイル送受信機へ前記識別情報を送信するためのサブステップと、を含むことを特徴とする請求項１７に記載のデータ通信方法。
【請求項１９】
前記モバイル送受信機から請求項１乃至９の何れか１項に記載された遠隔通信システムが有するモビリティ管理部へ伝達される信号であって、該モバイル送受信機がその現アクセスポイントに隣接するアクセスポイントと確立可能な少なくとも１の通信の品質測定の１以上の結果を含むことを特徴とする信号。
【発明の詳細な説明】
【技術分野】
【０００１】
本発明は、少なくとも１台の送受信機と、複数のアクセスポイントであって、それぞれ、送受信機が該各アクセスポイントのサービスエリア内に配置された場合に該送受信機と通信可能なアクセスポイントと、複数のアクセスポイント間の通信を可能にする通信ネットワークとを備える遠隔通信システムに関する。
【背景技術】
【０００２】
この種のシステムは、一般的に、ＩＰプロトコルと呼ばれるインターネットプロトコル等に基づいてデータ通信をするために用いられる。アクセスポイントは、基地局から構成され、通信ネットワークはイーサネット（登録商標）又はインターネット型ネットワークから構成される。この種のシステムでは、一般的に、モバイル送受信機が通信したいアクセスポイントを選択する。一般的に、１のアクセスポイントと通信状態にあるモバイル送受信機が、そのアクセスポイントのサービスエリア内を離れて他のアクセスポイントのサービスエリア内に入った場合、モバイル送受信機は自動的にこの他のアクセスポイントとの接続を確立し、新たなアクセスポイントに該アクセスポイントの接続確立許容能力について問い合わせることなくこの新たなアクセスポイントを呼び出す。これによって２つの問題点が生じていた。
【０００３】
１点は、新たなアクセスポイントのサービスエリア内に存在する全てのモバイル送受信機が既に該新たなアクセスポイントとの接続を確立し、送受信が多いために該アクセスポイントが輻輳状態にあって実行中の通信を適切に処理できない可能性がある、という点である。この状態はアクセスポイントの飽和として知られている。１以上の送受信機を更に接続した場合はこの状況がより悪化し、実行中の全ての通信の完全性が害される。
【０００４】
もう１点は、モバイル送受信機が自動的に新たなアクセスポイントに接続し、この自動接続の際に送受信機と対話者との間でデータ交換が実行されていた場合、該モバイル送受信機が、識別情報が変更されて新たなＩＰアドレスを受付ける傾向があり、その際にモバイル送受信機によって実行される自動接続によりゼロ及び空欄から構成される識別情報を有するエンティティにデータが送受信されるようになる結果、データの紛失が生じるおそれがある、という点である。
【発明の開示】
【発明が解決しようとする課題】
【０００５】
本発明は、これらの欠点を排除する遠隔通信システムを提供することを目的とする。この遠隔通信システムでは、原則として、モバイル送受信機によるイニシアチブ（initiative）のみではアクセスポイントが変更されず、モバイル送受信機に特有な動作環境の分析後に実行される。
【課題を解決するための手段】
【０００６】
本発明の遠隔通信システムは、モバイル送受信機がアクセスポイントの動作状況に応じて通信を確立すべき特定のアクセスポイントを特定することができるモビリティ管理部を１以上備える。
【０００７】
このような遠隔通信システムにおいて、モビリティ管理部は、モバイル送受信機に対して、アクセスポイントの変更が適切か否か、またどのアクセスポイントが前記アクセスポイントの飽和のリスクを制限し、該モバイル送受信機に対して新たなアクセスポイントとして機能するのに最適かを判別することができる。必要であれば、モビリティ管理部は、該モビリティ管理部によって選択される新たなアクセスポイントに接続する際に、送受信機に帰する新たな識別情報を決定する。モビリティ管理部は、通信ネットワークを介して伝送されるデータを制御する手段を備えてもよい。この場合は、モビリティ管理部は、例えば、アクセスポイントが変更される際にモビリティ送受信機に送信されるべきデータにおけるモビリティ送受信機の古い識別情報を新たな識別情報に置き換え、これによってデータが従来のシステムのように紛失することなく、新たなアクセスポイントを介してモビリティ送受信機に伝達される。
【０００８】
モビリティ管理部は、本発明の目的を達成するために、遠隔通信システムが有するモバイル送受信機の各々の動作環境に関する情報であって、負荷の係り具合の目安となる情報を収集する。
【０００９】
このような動作環境情報は、モバイル送受信機がどこに位置するかといった国の識別、市又は地理的座標等のモバイル送受信機に対する地理的な位置情報から構成される。
【００１０】
動作環境情報は、モバイル送受信機のユーザのプロファイル（profile）に関してもよく、中でも、同じ大学のキャンパスにいる学生、教授又は外来者といった者等の特定のグループのユーザの所属を基にした所定のアクセスポイントへのアクセス権限を定義するアクセス権限情報を含むとよい。プロファイルに関する動作環境情報は、例えば、関係者がいる建物の所定の階のアクセスポイントへのアクセス制限を示す情報を含む。
【００１１】
プロファイルに関する動作環境情報は、例えば、空港の使用者に利用可能なローカル通信ネットワークを介したアクセスに権限を与え、一方でホテルの使用者に利用可能なローカル通信ネットワークローカル通信ネットワークを介したアクセスに権限を制限する、というように、モバイル送受信機が使用する異なる種の公共ネットワークを基にしたアクセス状態の区別により、該モバイル送受信機が通信を開始することができるようにするための情報を含んでもよい。
【００１２】
本発明の１実施形態では、モビリティ管理部が、モバイル送受信機に情報を伝達し、該モバイル送受信機が、接続を許可されたアクセスポイントを識別することができるようにする。この種の情報は、アクセスが許可されたネットワーク、例えば、携帯ネットワークのＰＬＭＮ（当業者に周知のPublic Land Mobile Networkの略）、ローカル無線ネットワークのアクセスポイントＳＳＤＩ識別子（当業者に周知のService Set Identifierの略)、インターネットのようなグリッド型ネットワークに対するＮＡＩ（当業者に周知のNetwork Address Identifierの略）、又はグリッド型ネットワークに対するルータ局、さらにはグリッド型ネットワークのプレフィックスによって実現される。
【００１３】
本発明の変形例として、システムが有するモバイル送受信機は、前記送受信機が、現アクセスポイントと呼ばれるアクセスポイントと通信する際に、現アクセスポイントと隣接するアクセスポイントのリストを記憶するための記憶手段を備え、そのリストは管理部によって伝達される。
【００１４】
モビリティ管理部は、前記のリストを様々なときにモバイル送受信機に送り、これにより更新を実行したり、又は、現アクセスポイントへのモバイル送受信機の接続の際のみアップデートを実行したりする。
【００１５】
本発明の変形例では、モビリティ管理部が、モバイル送受信機の動作環境の簡単な分析を行い、モバイル送受信機の接続が許可されるべきアクセスポイントに隣接するアクセスポイントを選択した後、これら隣接アクセスポイントのリストをモバイル送受信機に送信したり、該モバイル送受信機がそれ自身これらの隣接アクセスポイントに関する情報をモビリティ管理部のために収集したりする。モバイル送受信機は、遠隔的にモビリティ管理部によって実行されるセンサ機能が割り当てられ、これによってモビリティ管理部への負荷を大幅に複数のモバイル送受信機に分配することが可能となる。本発明に従った遠隔通信システムが有するモバイル送受信機は、現アクセスポイントに隣接するアクセスポイントの少なくとも１つと確立されるであろう通信の１以上の品質測定のために有益な測定手段をさらに備える。
【００１６】
この測定により、モバイル送受信機は、原則、モバイル送受信機とその隣接アクセスポイントと信号を交換することによってその動作環境をモニタリングすることができる。このようなモニタリングは、モバイル送受信機が、そのアクセスポイントと通常的にするように、継続的に行われてもよいが、継続的なモニタリングは、例えば、電力を確実に供給するバッテリのように、モバイル送受信機の動作に必要なモビライジング資源の除外といったリスクを負う。さらに、モニタリングに基づいたモビリティ管理部への頻繁なレポートの送信が、アクセスポイントの飽和を引き起こしてモバイル送受信機の動作環境を損なう可能性がある相当量の通信となり得るリスクがある。実施形態の特定の態様において、測定手段は、モバイル送受信機と現アクセスポイントの間の通信の品質が所定の参照閾値よりも低い場合にのみ動作するものであってもよい。
【００１７】
モバイル送受信機とそのアクセスポイントとの間の通信の低い品質が、該通信の中断のおそれがある旨を知る目安となり、アクセスポイントの変更につながるので、所定のモバイル送受信機が、上述のようなモビリティ管理部の動作の結果、効果的に利用される強い機会を有する場合のみ、モニタリング動作の要因となることが確実にできるようにする。
【００１８】
測定手段の実施形態の有利な形態として、参照閾値が、モバイル送受信機が有する記憶手段に、モビリティ管理部から前記値を受け取った後に記憶されるようにしてもよい。
【００１９】
この実施形態によれば、モビリティ管理部が、モバイル送受信機によって行われる動作環境のモニタリングを制御できる。モビリティ管理部が、モバイル送受信機にとって許容可能な通信の品質レベルを判別するからであり、このレベルよりも通信の品質が高い場合は、いかなる動作も防止される。モビリティ管理部は、各々の動作環境により、異なる参照閾値をそれぞれのモバイル送受信機に割り当てることができる。特に、参照閾値は対応する地理的領域及びこれらの通信に要求されるサービスの品質の、進行中の通信の値に従って調整される。
【００２０】
本発明の実施形態の特定の形態においては、システムが有するモバイル送受信機が、その現アクセスポイントに隣接するアクセスポイントと通信を開始するために、隣接アクセスポイントとの通信が現アクセスポイントとの通信よりも良好であるといった品質測定結果が得られた場合、ハンドオーバリクエストと呼ばれるリクエスト（要求）をモビリティ管理部に送るための手段を備えるものであってもよい。
【００２１】
当該形態は、品質測定を通じて動作環境がモニタリングされた後に、モバイル送受信機に様々な可能性を提供する。
【００２２】
第１の可能性によれば、モバイル送受信機が、これらの測定の結果を分析することが可能となり、また、及び最適な新たなアクセスポイントとなり得る特定のアクセスポイントを識別することが可能となる。モバイル送受信機は、この特定のアクセスポイントへの接続許可をリクエストにおいて問い合わせる。
【００２３】
第２の可能性によれば、モバイル送受信機は、それ自身が行う品質測定を分析することができず、分析結果が、好ましくは、ハンドオーバリクエストを介してモビリティ管理部に送信されて分析される。送受信機はゆえに、ハンドオーバリクエストを介して新たなアクセスポイントを割り当てるための信号を送付することを送ること自身で制限する。
【００２４】
第１の可能性は、より大きな自由度をモバイル送受信機に与える傾向がある。それは、モバイル送受信機が、システムがモビリティ管理部の全く有しなくてもよいようにするが、送受信機の無秩序な動作であって、飽和及び情報の紛失の潜在的なリスクを備えた送受信機の動作の原因ともなる。
【００２５】
第２の可能性は、システムを通じたより大きな制御をモビリティ管理部へ提供する。モビリティ管理部は、モバイル送受信機による品質測定の結果を分析し、該分析結果及びインターフェース装置やアクセスポイントの動作状況から、モバイル送受信機が通信をすべき特定の隣接アクセスポイントを識別するための識別情報を特定し、この識別情報を該モバイル送受信機へ伝達するための手段を有する。
【００２６】
本発明の特定の実施形態において、遠隔通信システムは、モビリティ管理部に関連し、アクセスポイントの動作状況に関連する情報を蓄積するデータベースと、モビリティ管理部がリンクするインターフェース装置とを有する。
【００２７】
この実施形態は、モビリティ管理部が、例えば、配線変更、インターフェース及び／又はアクセスポイントの追加若しくは撤去等の原則的には不変だがまれに変化するシステム構成に関連した多量な情報を記憶することを不要とする点で有利である。モビリティ管理部は、それ自身、システムの瞬時の動作状況に関連する動的な情報を管理することを制限する。ただし、この目的に適合させる場合、この種の情報がデータベースに記憶されるようにしてもよい。このデータベースは、システムの動作状況に関する情報の集中的な収集を許可されることによって、モビリティ管理部にかかる管理の仕事を簡単にする。
【００２８】
他の実施形態では、アクセスポイントと前記通信ネットワークとの間に少なくとも２台のインターフェース装置が配置され、各インターフェース装置は、アクセスポイントの所定のグループと通信できる。
【００２９】
例えば、ＩＰプロトコルに従ったデータ送信に関連する少なくとも１台のアクセスルータとのインターフェースであるインターフェース装置は、アクセスポイント間の通信を局所的に組織化することを可能にし、それにより通信ネットワークの管理インフラストラクチャの負荷、特にモビリティ管理部の負荷が低減され、モバイル情報をインターフェース装置に送信することができ、アクセスポイントに関連する該情報に従って通信することを許可できるようになる。
【００３０】
モバイル送受信機とインターフェース装置との間で可能な多大な情報の通過を低減することによってシステムの管理を更に単純化するため、各アクセスポイントを、単一のインターフェース装置と通信できるようにしてもとよい。
【００３１】
予め存在する資源及び地理的位置を用いて本発明の遠隔通信システムの物理的な環境を単純化するため、少なくとも１台のインターフェース装置にモビリティ管理部を設置するようにしてもよい。モビリティ管理部は異なるインターフェース装置に分配するサブユニットに分断される。
【００３２】
本発明は、また、その実施の本質的な手段として、上述の遠隔通信システムが有するモバイル送受信機の機能を実行することができる装置に関する。この装置としては、例えば、無線電話、システム手帳又は送受信機能を備えたモバイルコンピュータ、無線電話によって形成されるユニット、システム手帳又はそれらの間で通信できるモバイルコンピュータが挙げられる。
【００３３】
本発明はまた、その実施をするための本質的な手段として、上述した、例えばサーバのような、遠隔通信システムが有するモビリティ管理部の機能を実現可能な装置に関する。
【００３４】
本発明は、さらに、少なくとも１台のモバイル送受信機と、複数のアクセスポイントであって、それぞれ、そのサービスエリアに前記モバイル送受信機が配置された場合に該モバイル送受信機と通信可能なアクセスポイントと、前記複数のアクセスポイント間の通信を可能にする通信ネットワークとに適用されるデータ通信方法であって、前記複数のアクセスポイントの動作状況に応じて、前記モビリティ管理部が、前記モバイル送受信機が通信を確立しなければならない特定のアクセスポイントを識別するステップを少なくとも１つ含むことを特徴とするデータ通信方法に関する。
【００３５】
１の実施態様で、本方法は、現アクセスポイントと呼ばれるアクセスポイントと通信状態にある場合、モビリティ管理部に送信されるリストであって現ポイントに隣接するアクセスポイントのリストをモバイル送受信機が記憶し、このリストがモビリティ管理部によって送信されるステップを備える。
【００３６】
モビリティ管理部が隣接アクセスポイントのリストを生成するためのステップをさらに含み、該リストが、対象となるモバイル送受信機に特有の動作環境情報に基づいて生成されるようにしてもよい。
【００３７】
前記モバイル送受信機特有の動作環境情報が、ユーザの所定のグループ内の、前記送受信機ユーザの自明性及び該グループに指定された少なくとも１の所定のアクセスポイントへのアクセス許可と、異なる種類の通信システムにリンクされた異なるアクセスポイントへの通信が許可されたユーザによる事前捕捉と、
所定の地域における前記モバイル送受信機のユーザの地理的位置及び該地域に対して用意された少なくとも１つの所定のアクセスポイントへのアクセス許可と、のリストに一致するプロファイルを特に示すものであってもよい。
【００３８】
本方法の有利な実施形態では、品質測定ステップは、モバイル送受信機とアクセスポイントとの間の通信が所定の参照閾値以下の場合のみ実行される。
【００３９】
この方法は、前記送受信機が前記値をモビリティ管理部から受信した後にモバイル送受信機が参照閾値を記憶するステップをさらに含むものであってもよい。
【００４０】
本発明の特定の実施の形態では、上述したデータ通信方法は、隣接するアクセスポイントとの通信の品質が、現アクセスポイントよりも良好である旨の品質測定結果が得られた場合、前記モバイル送受信機が、現アクセスポイントに隣接するアクセスポイントとの通信を確立するために前記モビリティ管理部へハンドオーバリクエストを送信するステップをさらに含む。
【００４１】
本発明の好ましい実施の形態では、モビリティ管理部が実行する識別ステップが、前記品質測定の結果の分析のためのサブステップと、前記分析結果及びアクセスポイントの動作状況から、前記モバイル送受信機が通信を行う特定の隣接アクセスポイントの識別情報を特定するためのサブステップと、前記モバイル送受信機へ前記識別情報を送信するためのサブステップと、を含む。
【００４２】
そして、本発明は、上述の方法の実施に役立つ要素として、モバイル送受信機によってモビリティ管理部に送信される信号に関連し、該信号は、モバイル送受信機が現アクセスポイントに隣接するアクセスポイントと確立することができる少なくとも１つの通信の品質測定の１以上の結果を含む。
【発明を実施するための最良の形態】
【００４３】
図１は、遠隔通信システムＳＹＳＴの構成の概略を示す図であり、この遠隔通信システムＳＹＳＴは、無線電話等から構成される少なくとも１台のモバイル送受信機ＥＲＭと、複数のアクセスポイントＰＡ１ｉ、ＰＡ２ｊ（ｉ＝１〜Ｎ，ｊ＝１〜Ｐ）であって、それぞれサービスエリアＺＡ１ｉ、ＺＡ２ｊを有してモバイル送受信機ＥＲＭが該サービスエリア内に配置された場合に該モバイル送受信機ＥＲＭと通信可能なアクセスポイントと、アクセスポイントがＩＥＥＥ８０２．１１規格に準じた場合、イーサネット（登録商標）リンクを介してアクセスポイントＰＡ１ｉ、ＰＡ２ｊのうちの所定のグループのそれぞれと通信可能な少なくとも２台のインターフェース装置ＤＩ１、ＤＩ２と、インターフェース装置ＤＩ１、ＤＩ２間の通信を可能にする通信ネットワークＮＷとを有する。
【００４４】
この種のシステムは、モバイル送受信機ＥＲＭとインターネット・ネットワークＮＷＧとの間、又はモバイル送受信機ＥＲＭとシステムＳＹＳＴに存在する他のモバイル送受信機との間でデータの送受信を実行するために用いられる。インターフェース装置ＤＩ１、ＤＩ２は、例えば、インターネット・ネットワーク・アーキテクチャにおいてインターネット又はイーサネット（登録商標）リンクを介した通信に一般的に用いられるアクセス・ルータ・インターフェースから構成される。
【００４５】
これらインターフェース装置ＤＩ（１、ＤＩ２は異なる種類のネットワークにおいては、アクセス・ブリッジ・インターフェースから構成されてもよく、例えば、インターフェース装置ＤＩ１はモバイル無線電話ネットワークへのアクセスブリッジから構成され、インターフェース装置ＤＩ２は、ローカルブリッジへのアクセスブリッジから構成されてもよい。
【００４６】
なお、本発明の他の実施の形態として、これらインターフェース装置が存在しなくてもよい。この場合は、アクセスポイントが、例えばイーサネット（登録商標）式の通信ネットワークＮＷ１を介して直接的に通信を行うようにするとよい。本実施の形態のシステムＳＹＳＴは、さらに、アクセスポイントＰＡ１ｉ、ＰＡ２ｊ（ｉ＝１〜Ｎ、ｊ＝１〜Ｐ）の動作状況に応じてモバイル送受信機ＥＲＭが接続を確立すべき特定のアクセスポイントを特定するモビリティ管理部ＧＭ１を有する。
【００４７】
遠隔通信システムＳＹＳＴでは、モバイル送受信機ＥＲＭが例えば１のサービスエリアＺＡ１１から他のサービスエリアＺＡ１２へ移動した場合、モビリティ管理部ＧＭ１が、モバイル送受信機ＥＲＭへアクセスポイントの変更が適切か否かを判別し、また、どのアクセスポイントがモバイル送受信機ＥＲＭに対して新たなアクセスポイントとして適切に機能するのかを特定する。このため、モビリティ制御部ＧＭ１による制御により、アクセスポイントＰＡ１ｉ、ＰＡ２ｊ（ｉ＝１〜Ｎ，ｊ＝１〜Ｐ）が飽和状態となる危険性が制限される。モビリティ管理部ＧＭ１は、モバイル送受信機ＥＲＭと選択した新たなアクセスポイントとの接続が確立された場合に、モバイル送受信機ＥＲＭへ新たな識別情報の割り当てが必要か否かを判別する。また、モビリティ管理部ＧＭ１は、アクセスポイントの変更時に、モバイル送受信機ＥＲＭへ伝送されるデータが含む識別情報を新たな識別情報に変更し、このデータが既存のシステムで知られているように紛失されることがなく新たなアクセスポイントＰＡ１２を介してモバイル送受信機ＥＲＭに伝達されるようにする。既存のＩＰプロトコルによれば、このような識別情報の変更が、例えば、新旧のアクセスポイントが２台の異なるインターフェース装置に依存する場合に実行される。
【００４８】
また、本実施の形態では、遠隔通信システムは、モビリティ管理部ＧＭ１に関連したデータベースＢＤ１であって、アクセスポイントＰＡ１ｉ、ＰＡ２ｊ（ｉ＝１〜Ｎ，ｊ＝１〜Ｐ）及びモビリティ管理部ＧＭ１がリンクされたインターフェース装置ＤＩ１の動作状況についての情報を含むデータベースＢＤ１を備える。このデータベースＢＤ１を備えることにより、モビリティ管理部ＧＭ１が、例えば、回線の変更、インターフェース装置やアクセスポイントの追加若しくは除去といった原則的には変更されることがないが場合によっては変更されることがあるシステムＳＹＳＴの構造に関する情報を多量に記憶することが防止される。システムの即座の動作状況についての動的情報がデータベースＢＤ１に記憶されるようにした場合であってもモビリティ管理部ＧＭ１がこの種の情報を管理することを制限することができる。データベースＢＤ１へのシステムＳＹＳＴの動作状況についての情報の集中的な収集を許容することにより、モビリティ管理部ＧＭ１がすべき管理タスクを単純化することができる。
【００４９】
送受信機ＥＲＭとインターフェース装置ＤＩ１又はＤＩ２間での情報の可能な交換を低減してさらにシステムＳＹＳＴの管理を単純化するため、各アクセスポイントＰＡ１ｉ、ＰＡ２ｊ（ｉ＝１〜Ｎ，ｊ＝１〜Ｐ）が例えば単一のインターフェース装置ＤＩ１又はＤＩ２と通信できるようにした。
【００５０】
モビリティ管理部ＧＭ１、インターフェース装置ＤＩ１、ＤＩ２及びアクセスポイントＰＡ１ｉ、ＰＡ２ｊ（ｉ＝１〜Ｎ，ｊ＝１〜Ｐ）が、モバイル送受信機ＥＲＭが移動可能な第１のモビリティ領域ＤＭ１を形成する。なお、システムＳＹＳＴが、第１及び第２のモビリティ領域[Ｄ]Ｍ１及び[Ｄ]Ｍ２を有するようにしてもよく、この場合には第１及び第２のモビリティ領域[Ｄ]Ｍ１及び[Ｄ]Ｍ２間で通信ネットワークＮＷＧを介して互いに通信可能な構成とし、モビリティ管理部ＧＭ１、ＧＭ２が、それぞれ、データベースＢＤ１、ＢＤ２を備え、互いにネットワークＮＷ１、ＮＷ２に接続されたインターフェース装置を制御するようにするとよい。送受信機は、例えば、第１のモビリティ領域ＤＭ１に属するアクセスポイントを離れて第２のモビリティ領域に属する新たなアクセスポイントに接続することにより、１のモビリティ領域から他のモビリティ領域への切り替えをする。領域の変更を実行するための手順については、同一のモバイルドメイン領域内でアクセスポイントを変更する場合と原則同様だが、アクセスポイントの変更と同時に送信されたモバイル送受信機へのデータが、新たなアクセスポイントが属する移動後のモビリティ領域のモビリティ管理部を介して、前のアクセスポイントが属する移動前のモビリティ領域のモビリティ管理部により再送信される点が異なる。
【００５１】
図２は、モビリティ領域ＤＭをより詳細に示す図であり、本発明の遠隔通信システムの動作を説明するための図である。モビリティ領域ＤＭは、モビリティ管理部ＧＭと、多数のインターフェース装置ＤＩｋ（ｋ＝１〜Ｍ、そのうちの１つを図示）と、インターフェース装置ＤＩｋと通信するための第１、第２及び第３のアクセスポイントＰＡｋ１、ＰＡｋ２及びＰＡｋ３とを含む。これらのアクセスポイントは、それぞれ、第１、第２及び第３のサービスエリアＺＡｋ１、ＺＡｋ２及びＺＡｋ３に対応する。本実施の形態では、本システムに含まれるモバイル送受信機ＥＲＭは、例えば、送信／受信機能を備えた電子手帳（organizer）から構成され、モバイル領域ＤＭ内を移動できる。モバイル送受信機ＥＲＭがまず第２のサービスエリアＺＡｋ２に位置し、第２のアクセスポイントＰＡｋ２に接続され、モバイル送受信機ＥＲＭの現アクセスポイントがアクセスポイントＰＡｋ２である場合を例として説明する。モビリティ管理部ＧＭは、アクセスポイントＰＡｋ２に隣接したアクセスポイントのリストＬＶ２を、インターフェース装置ＤＩｋ及びアクセスポイントＰＡｋ２を介してモバイル送受信機ＥＲＭに送信する。リストＬＶ２は、地理的な近似基準に基づいてモビリティ管理部によって生成され、現アクセスポイントのサービスエリアに隣接したサービスエリアを有するアクセスポイントを示す。なお、モビリティ管理部ＧＭは、アクセスポイントが既に飽和状態にあることを特定した場合や飽和状態になりそうなことを特定した場合には、モバイル送受信機ＥＲＭに送信するリストに、このような状態のアクセスポイントを含まないように選択するようにしてもよい。また、モビリティ管理部ＧＭは、モバイル領域ＤＭに含まれる全てのアクセスポイント及びインターフェース装置の動作状況を概略的に識別することを通じて、現アクセスポイントのサービスエリアに隣接するサービスエリアを有するアクセスポイント以外のものの、より大きな伝達能力若しくはより大きな利用可能性等の特別な特性のためにアクセスポイント変更の際の候補となり得ることを特定するようにしてもよい。モビリティ管理部は、モバイル送受信機ＥＲＭへ送信される、隣接アクセスポイントのリスト中のアクセスポイントを含んでもよい。
【００５２】
隣接アクセスポイントＬＶ２のリストは、例えば、無線リンクＲ２を介して、現アクセスポイントＰＡｋ２からモバイル送受信機ＥＲＭに伝達された場合、モバイル送受信機ＥＲＭによって保存される。ここでは、隣接アクセスポイントＬＶ２のリストが、現アクセスポイントＰＡｋ２のサービスエリアＺＡｋ２に隣接するサービスエリアＺＡｋ１、ＺＡｋ３を有するアクセスポイントＰＡｋ１、ＰＡｋ３を含む場合を例とする。モバイル送受信機ＥＲＭは、隣接アクセスポイントＰＡｋ１、ＰＡｋ３において確立される通信の品質測定Ｍ１、Ｍ３を実行するための測定手段を有する。この品質測定Ｍ１、Ｍ３は、例えば、隣接アクセスポイントＰＡｋ１、ＰＡｋ３への無線信号の送受信と、完全性のチェックと、隣接アクセスポイントによるリターンされる信号の信号−ノイズの比（Ｓ／Ｎ比）の測定とから構成される。なお、品質測定のために送受信機ＥＲＭが、アクセスポイントＰＡｋ１、ＰＡｋ２及びＰＡｋ３から連続的に送信された特定の信号のＳ／Ｎ比を測定するようにしてもよい。
【００５３】
品質測定Ｍ１、Ｍ３をすることにより、モバイル送受信機ＥＲＭが、その環境をモニタリング（監視）することができる。モニタリングは、モバイル送受信機と現アクセスポイントＰＡｋ２との通信の品質Ｍ２を定期的に測定するために連続的なものでもよいが、電力を供給するバッテリ等の送受信機ＥＲＭが動作するための本質的な資源を不必要に移動させるおそれがある。さらに、このモニタリングに従ってモビリティ管理部ＧＭへレポートを頻繁に送信した場合、通信が多量なためにアクセスポイントが飽和してしまうおそれがある。そこで、測定手段は、モバイル送受信機ＥＲＭと現アクセスポイントＰＡｋ２との間の通信の品質が所定の参照閾値未満となった場合のみ動作するようにするとよい。このようにすることにより、モバイル送受信機ＥＲＭと現アクセスポイントＰＡｋ２間での劣悪な通信品質が、この通信の間に好ましくない中断が生じるおそれがあることを示し、結果としてアクセスポイントＰＡｋ２の変更することにつながるので、モニタリング動作の結果が効果的に使用され得る場合のみにモバイル送受信機ＥＲＭがモニタリング動作することを確実にすることができる。参照閾値の値は、モビリティ管理部ＧＭによって定められ、隣接アクセスポイントのリストＬＶ２と同時に、モバイル送受信機ＥＲＭに伝達されるようにするとよい。これにより、モビリティ管理部ＧＭが、モバイル送受信機ＥＲＭに許容可能とする通信品質のレベルを決定するので、閾値の選択を通じてモバイル送受信機ＥＲＭにより実行される環境的モニタリング動作全体を制御することができるようになり、この結果通信の品質がこのレベルより高い場合にその部分のいかなる動作も防止されるからである。また、モビリティ管理部ＧＭが、異なる参照閾値を、それぞれの環境を基に異なるモバイル送受信機ＥＲＭに割り当てるようにしてもよい。特に、参照閾値の値が、対応する地理的領域で実行されている通信量と、これらの通信のサービスに要求される品質に従って調整されるようにするとよい。例えば、ビデオデータのフローが、ある領域において実行中の他の通信と比べて優先的に処理されるべき品質を示すＩＰ識別情報を有するようにすることにより、モビリティ管理部ＧＭが、現アクセスポイントを変更するために、対応するアクセスポイントと比較的優先度の低い通信を維持するようにモバイル送受信機ＥＲＭに通知するようにすることができる。
【００５４】
本実施形態では、モバイル送受信機ＥＲＭは、現アクセスポイントＰＡｋ２のサービスエリアである第２のサービスエリアＺＡｋ２を離れて第３のサービスエリアＺＡｋ３に入る、といった移動ＭＶを行う。移動中は現アクセスポイントＰＡｋ２との通信を維持し、連続的に測定装置Ｍ２を通じて測定する通信品質が、所定の参照閾値以下に下がる。従って、モバイル送受信機ＥＲＭは、モビリティ管理部ＧＭによって送信される隣接アクセスポイントのリストＬＶ２に示されたアクセスポイントとの通信の品質測定Ｍ１、Ｍ３をする。モバイル送受信機ＥＲＭは、隣接アクセスポイントとの通信品質が現アクセスポイントとの通信よりも良好であるという測定をした場合に、ハンドオーバリクエストと呼ばれるリクエストＲＢを、該現アクセスポイントに隣接する隣接アクセスポイントと通信するためにモビリティ管理部ＧＭに送信する手段を備える。本実施形態の第１の変形例では、モバイル送受信機ＥＲＭは、品質測定Ｍ１、Ｍ３の結果を分析することができ、最も適切な新たな現アクセスポイントを構成可能な特定のアクセスポイントＰＡｋ１又はＰＡｋ３を判別することができる。次に、モバイル送受信機ＥＲＭは、特定のアクセスポイントＰＡｋ１又はＰＡｋ３への接続の認証のためのそのハンドオーバリクエストＲＢにおいて、要求された該ハンドオーバリクエストに対して該特定のアクセスポイントが最良の選択であることを示すことによって問い合わせる。
【００５５】
第２の変形例では、モバイル送受信機ＥＲＭは、それ自身品質測定Ｍ１、Ｍ３の結果を分析しない。好ましくは、ハンドオーバリクエストＲＢを介して、品質測定の結果をモビリティ管理部ＧＭに送信するようにし、分析のために該モビリティ管理部ＧＭに残されるようにするとよく、モバイル送受信機ＥＲＭは、それ自身がハンドオーバリクエストＲＢを通じて新たなアクセスポイントが割り当てられる必要性を示すことを制限するようにするとよい。
【００５６】
第１の変形例は、モバイル送受信機ＥＲＭに大きな独立性を与える傾向があり、これによりモバイル送受信機ＥＲＭがモビリティ管理部ＧＭの欠乏をオフセット（offset）できるようにするが、上述したような情報の損失及び飽和の可能性のおそれがある、送受信機部分での無秩序な動作の結果となる場合が多い。
特に送受信機は、境界値と呼ばれる参照閾値より低い第２の閾値を記憶し、実行中の通信の品質がこの境界値よりも下がった場合に、実行された品質測定に基づいて最良の新たな現アクセスポイントとして特定すべきアクセスポイントに自発的に接続するための手段を備えてもよい。
【００５７】
第２の変形例はモビリティ管理部ＧＭに、より大きなシステムの制御を提供する。それは、いずれにせよ、モビリティ管理部ＧＭがない場合にモバイル送受信機を選択的にしておくことが可能とし、現アクセスポイントとの通信を維持する品質が、該通信が実質的に確実に中断される第２の閾値以下に下がった状態の場合、実行中の通信の間に送られるデータが紛失しないように、例えば、前記のリストに最初に示される隣接アクセスポイントのリストから任意に選択された現アクセスポイントの隣接アクセスポイントに接続されることができるようにする。
【００５８】
第２の変形例で、管理部ＧＭは、好ましくは、モバイル送受信機ＥＲＭによって行われる品質測定Ｍ１、Ｍ３の結果の分析手段と、この分析、アクセスポイントＰＡｋ１、ＰＡｋ２、ＰＡｋ３の動作状況及びインターフェース装置ＤＩｋとから、例えばモバイル送受信機ＥＲＭが位置するサービスエリアＺＡｋ３の第３のアクセスポイントＰＡｋ３である、モバイル送受信機が通信すべき隣接アクセスポイントの識別情報の推定手段と、識別信号ＩＤＮＰＡを介したモバイル送受信機ＥＲＭへのアクセスポイントＰＡｋ３の識別情報の伝達手段とを備える。
【００５９】
新たな現アクセスポイントに隣接するアクセスポイントのリストを含んでいてもよい識別信号ＩＤＮＰＡを受信した後、モバイル送受信機ＥＲＭは、その送受信手段を再構築する。すなわち、例えば、新たな現アクセスポイントＰＡｋ３とコンタクトするため、対応無線リンクＲ３を介して送受信されるべき信号の搬送周波数を再設定する。旧現アクセスポイントＰＡｋ２及び新たな現アクセスポイントＰＡｋ３は、例えば、同一のインターフェース装置ＤＩ１ｋに依る。これは、周知のＩＰプロトコルに従った現アクセスポイントの変更が、モバイル送受信機ＥＲＭに対する識別情報、すなわちＩＰアドレスのいかなる変更ももたらさないこと意味する。例えば、新たな現アクセスポイントがモビリティ領域ＤＭの縁にあった場合、新たな隣接アクセスポイントのリストは、モビリティ領域ＤＭに隣接するモビリティ領域に属するアクセスポイントを含むとよい。
【００６０】
図３は、第２の実施の形態のシステムの現アクセスポイントにおいての変更を説明するための図である。モバイル送受信機ＥＲＭは、移動ＭＶにより所定のアクセスポイントＰＡｋ３のサービスエリアＺＡｋ３を離れて新たなアクセスポイントＰＡ１１のサービスエリアＺＡ１１に入る。アクセスポイントＰＡｋ３、ＰＡ１１は、互いに別々のインターフェース装置ＤＩｋ、ＤＩ１に依存する。この例では、モバイル送受信機ＥＲＭは、上述したものと同様に、モビリティ管理部ＧＭから新たなアクセスポイントＰＡ１１の絶対的かつ明確な識別情報を含む識別信号ＩＤＮＰＡを受信し、これに応じてハンドオーバリクエストＲＢをモビリティ管理部ＧＭに送信する。また、第２の実施の形態での新たな識別情報は、新たなアクセスポイントＰＡ１１が新たなインターフェース装置ＤＩ１に依るので、モバイル送受信機に依る。次に、モバイル送受信機ＥＲＭは、その送受信手段を再構成する。例えば、モバイル送受信機ＥＲＭは、対応する無線リンクＲ１を介して新たなアクセスポイントＰＡ１１に接続するために送受信される信号の搬送周波数を変更したり、新たな識別情報を受信した旨を、無線リンクＲ１を介してモビリティ管理部ＧＭに通知したりする。本発明の有利な実施の形態において、モビリティ管理部ＧＭは、古い識別情報のモバイル送受信機ＥＲＭに送信された全てのデータパケットを遮断するとともに、モバイル送受信機ＥＲＭのアクセスポイントの変更に起因するデータの紛失を最小限にするためにモバイル送受信機ＥＲＭの古い識別情報を新たな識別情報に置き換える。
【００６１】
図４は、本発明の実施の形態のデータ通信プロセスを示すフローチャートである。このプロセスの最初のステップＥＲＰＡＣにおいて、上述の遠隔通信システムに含まれるモバイル送受信機は、現アクセスポイントとして機能しているアクセスポイントと通信する。次に、モバイル送受信機ＥＲＭは、モビリティ管理部から、現アクセスポイントに隣接するアクセスポイントのリストＬＶＣを受信し、記憶手段に記憶する。同様に、モバイル送受信機ＥＲＭは、現アクセスポイントとの通信において維持する通信品質が耐久的でない状態を超えた参照閾値ＳＣＶを受信して記憶手段に記憶する。続いて、ステップＭＰＡＣにおいて、モバイル送受信機ＥＲＭは、現アクセスポイントと維持する通信の品質を測定する。そして、テストステップＱ（ＭＣ）＜ＳＣでは、モバイル送受信機ＥＲＭは、測定された通信品質の値が参照閾値より低いか否かを判別する。テストステップＱ（ＭＣ）＜ＳＣにおける判別結果が否定的な場合、モバイル送受信機ＥＲＭは、新たなＭＰＡＣステップにおいて現アクセスポイントと維持している他の通信について品質測定を行う。一方、テストステップＱ（ＭＣ）＜ＳＣにおいて肯定的な判別結果が生じた場合、モバイル送受信機ＥＲＭは、次のステップＭＰＡＶの間に、記憶された隣接アクセスポイントのリストに含まれるアクセスポイントと確立可能な通信の品質を測定する。次のステップＳ（ＲＢ）の間に、モバイル送受信機ＥＲＭは、ハンドオーバリクエストＲＢをモビリティ管理部ＧＭに伝達する。これは、テストの結果が現アクセスポイントの変更の必要性を示すためである。ハンドオーバリクエストは、モバイル送受信機ＥＲＭによって実行された品質測定の結果を含むのが好ましい。次のステップＡＮ（ＲＢ）の間、モビリティ管理部は、ハンドオーバリクエストＲＢと、アクセスポイントの動作状況に関するデータに対応した品質測定の結果と、それから推定されるモビリティ管理部の制御の下に置かれるインターフェース装置の動作状況とを分析し、次に、ステップＧＮＰＡの間に、モバイル送受信機ＥＲＭに対する新たなアクセスポイントとして最も有利な特性を有する隣接アクセスポイントを識別する。
【００６２】
本発明の実施の形態の特定のモードでは、２つの連続的な動作が並列して実行される。
【００６３】
第１の連続的動作の第１のステップＳ（ＩＤＮＰＡ）で、モビリティ管理部は、モバイル送受信機ＥＲＭに対して新たなアクセスポイントとなるアクセスポイントの識別情報を送信する。この第１の連続的動作の次のステップＥＲＮＰＡＣにおいて、モバイル送受信機ＥＲＭは、モビリティ管理部によって新たなアクセスポイントとして示されたアクセスポイントへ接続することにより、識別情報を受信した旨を認証する。
【００６４】
第２の連続的動作の第１ステップＮＲＩＮＦにおいて、モビリティ管理部は、新たなルーチン情報を生成する。新たなルーチン情報は、例えば、接続の際にモバイル送受信機ＥＲＭに対応すべき新たなあて先アドレスであり、モビリティ管理部はこの新たなあて先アドレスを用いてモバイル送受信機ＥＲＭと通信する。新たなあて先アドレスは、モバイル送受信機ＥＲＭのための新たな識別情報を形成する。第２の連続的動作の次の新たなステップＵＰＤＮＷでは、モビリティ管理部は、モバイル送受信機ＥＲＭの新たな識別情報を制御する全てのインターフェース装置及びアクセスポイントと通信し、アクセスポイントの変更前にモバイル送受信機ＥＲＭへ送信中であった情報が、新たなアクセスポイントを介してモバイル送受信機ＥＲＭへ送信される。ステップＵＰＤＮＷの変形ステップでは、モビリティ管理部は、関係するモバイル送受信機の旧識別情報としてのあて先アドレスを含む情報を遮断し、関連するモバイル送受信機の新たな識別情報に関連するあて先アドレスとしてリダイレクトし、そして、所定の間隔で前記の情報の複製を旧アドレスへ向けて送信する。これによってアクセスポイントの変更により情報が紛失することの可能性を低減する。
【００６５】
モビリティ管理部の制御下の全てのアクセスポイント及びインターフェース装置の動作状況と、参照閾値と、モバイル送受信機のアクセスポイントに隣接するアクセスポイントのリストとの分析が行われた後、上記第１及び第２の連続的動作は、次のステップＳ（ＬＶＣ、ＳＣ）へ進み、その次のステップＭＰＡＣの間、新たなアクセスポイントと維持する通信の品質が測定される。
【００６６】
図５は、本発明の特定の実施の形態に従ってハンドオーバリクエストＲＢを構成する信号の該略図である。ハンドオーバリクエストＲＢは、情報パケットの形式をとり、このパケットは、その種類を特定するための第１のフィールドＨＯＲＱを有し、パケットの種類は、例えば、アクセスポイントを変更するためのモバイル送受信機からのリクエストである。また、ハンドオーバリクエストＲＢは、モバイル送受信機の現アクセスポイントに隣接するアクセスポイントの識別情報を含む第２のフィールドＩＤＰＡを有する。さらに、ハンドオーバリクエストＲＢは、第２のフィールドＩＤＰで識別されたモバイル送受信機と隣接アクセスポイントとにより確立された通信の測定結果によるＳＮ比を含む第３の領域ＳＮＲ（ＰＡ）を有する。なお、ハンドオーバリクエストＲＢが、モバイル送受信機がモビリティ管理部から受信する隣接アクセスポイントのリスト内のアクセスポイントの数よりも少ないか、或いは等しい第２及び第３の領域の型に連結された多くの領域を含むようにしてもよい。
【００６７】
図６は、モバイル送受信機によって送信されたハンドオーバリクエストＲＢに応答してモバイル管理部によって該モバイル送受信機へ送信される識別信号ＩＤＮＰＡの構造の概略を示す図である。この識別信号ＩＤＮＰＡは、パケットの形式をとり、このパケットは、その種類を識別するための第１のフィールドＨＯＲＳＰを有し、パケットの種類は、例えば、ハンドオーバリクエストに対する応答である。識別信号ＩＤＮＰＡは、ハンドオーバリクエストが伝達されたモバイル送受信機の新たなアクセスポイントＮＰＡとして機能するアクセスポイントであって、モビリティ管理部によって選択されたアクセスポイントの識別情報を含む第２の領域ＩＤ（ＮＰＡ）を含む。この識別情報は、モビリティ管理部により、例えばＩＰアドレスの形だったり、識別信号ＩＤＮＰＡが新たなＩＰアドレスを生成するためのものとしてモバイル送受信機が識別できるようなデータセットの形式で示される。この例では、識別信号ＩＤＮＰＡは、第２の領域ＩＤ（ＮＰＡ）で示されたアクセスポイントに隣接するアクセスポイントのリストを示す第３の領域ＬＶ（ＮＰＡ）を含み、このためにモバイル送受信機は、その新たな環境のモニタリング動作を直ちに実行することができる。
【００６８】
（適用例）
以下、本発明の特定の適用例について説明する。ここでは、上述した遠隔通信システムが、ＩＥＴＦモバイルＩＰワーキンググループより利用可能なＨＭＩＰｖ６（Hierarchical Mobile Internet Protocol version 6）インターネットプロトコルの一般的なインストラクションに従ってデータ通信を実行する場合を例として説明する。この例は、あくまでも一例であって、請求項の範囲を限定するためのものではなく、また、図７〜図２０に対応するものである。
【００６９】
図７〜図１２は、上述のＨＭＩＰｖ６プロトコルの一般的な原理と、このプロトコルを実施するために用いられる遠隔通信システムを示す図である。
【００７０】
図７は、この種の遠隔通信システムＳＹＳＴを示し、この遠隔通信システムＳＹＳＴは、モバイルＩＰプロトコルにより管理されるインターネット・ネットワークを含み、このインターネット・ネットワークは、２つのモビリティ領域ＤｏｍＡ及びＤｏｍＢを含み、その各々が少なくとも１つの境界ルータＢＲＡ又はＢＲＢを備える。境界ルータは、対応する各モビリティ領域を他のインターネット・ネットワークに接続するためのものであり、例えば、ＬＡＮ形式のモビリティネットワークＭＮＡ、ＭＮＢとして機能する。モビリティネットワークＭＮＡ、ＭＮＢは、モビリティサーバＭＳＡ、ＭＳＢを有し、モビリティサーバＭＳＡ、ＭＳＢはモビリティネットワークのルータとして機能し、また基地局ＢＳＡ又はＢＳＢと通信する。モバイル送受信機ＥＲＭを構成する移動ノードＮＭは、モビリティ領域ＤｏｍＡ、ＤｏｍＢに対応する地理的領域内で移動可能である。基地局ＢＳＲ、ＢＳＢは移動ノードＮＭにおいてアクセスルータを構成する。
【００７１】
図８〜図１２は、ＨＭＩＰｖ６プロトコルの本質的な特徴を説明するための概略図である。
【００７２】
図８は、ＨＭＩＰｖ６プロトコルに従ってモビリティサーバからその領域のアクセスルータへ送信される情報メッセージの「関連リクエスト」あて先オプションヘッダＢＲＨＤに要求されるフォーマットの概略を示す。ＯＴ（当業者に周知のOption Typeの頭文字の略）フィールドは、１バイトの長さを有し、８と等しい値をとり、オプションが「関連リクエストオプション」（当業者にバインディングリクエストとして周知）であることを示す。ＯＬ（当業者に周知のOption Lengthの頭文字の略）フィールドは、１バイトの長さで、２０と等しい値をとり、最初の２つのフィールドをカウントすることなくオプションの長さを通知することができる。ＳＯＴ（当業者に周知のSub-Option Typeの頭文字の略）フィールドは、１バイト長で、１０２と等しい値をとり、「モビリティ情報」サブオプションであることを示す。ＳＯＬ（当業者に周知のSub-Option Lengthの頭文字の略）フィールドは、１バイト長で、１８と等しい値をとり、最初の２つのフィールドをカウントすることなくバイト内のサブオプション長を通知するためのものである。ＭＯＤＥフィールドは、１バイト長で、モビリティサーバに使用されるプロトコルを識別する。０の値がモバイルＩＰｖ６プロトコルに対応し、１の値がモバイルＩＰｖ６プロトコルを有するＨＭＩＰｖ６プロトコルに対応し、２の値がモバイルＩＰｖ６プロトコルなしのＨＭＩＰｖ６プロトコルに対応する。ＰＬＥＮフィールドは、１バイトの長さを有し、モビリティネットワークのネットワークプレフィックスの長さを示す。そして、ＭＳＡＤ（当業者に周知のMobile Server ADdressの頭文字の略）アドレスはモビリティサーバのアドレスを示す。
【００７３】
すなわち、モビリティ情報サブオプションは、モビリティサーバのアドレスとともにモビリティネットワークのネットワークプレフィックス長を含む。使用されるルータは、これらのパラメータをバックアップし、これらのパラメータがモビリティ情報オプションと呼ばれるオプションＮＤ６の結果としてルータ通知において広める。
【００７４】
図９は、ＨＭＩＰｖ６プロトコルに適合するモビリティ情報オプションＮＤ６の構成を示し、モビリティ情報オプションＮＤ６は、例えば、１００に等しい値をとる１バイト長のＴＹＰＥフィールドと、２０に等しい値をとる１バイト長のＬＥＮＧフィールドと、モビリティサーバによって使用されるプロトコルを識別する１バイトの長さのＭＯＤＥフィールドであって、値０がモバイルＩＰｖ６に対応し、値１がモバイルＩＰｖ６を備えたＨＭＩＰｖ６プロトコルに対応し、値２がモバイルＩＰｖ６のないＨＭＩＰｖ６プロトコルに対応するＭＯＤＥ領域と、１バイト長のＰＬＥＮフィールドであって、モビリティネットワークのネットワークプレフィックスの長さを特定するためのＰＬＥＮフィールドとを有する。そして、ＭＳＡＤ（当業者に周知のMobile Server ADdressの頭文字の略）アドレスは、モビリティサーバのアドレスを示す。
【００７５】
移動ノードは、新たなＨＭＩＰｖ６領域に移動してモビリティ情報オプションとともに新たなルータの通知を検出した場合、２つの新たな一時的なアドレスを取得する。第１のアドレスはモビリティネットワークで有効であり、バーチャルアドレスＶＣＯＡ（当業者に周知のVirtual Care-Of Addressの頭文字の略である）と呼ばれる。この第１のアドレスは、ルータ通知において収集されるモビリティネットワークプレフィックスを有する移動ノードのインターフェースの識別情報を連結させることによって決定される。第２のアドレスはローカルリンクを示し、現基地局のネットワークプレフィックスを有する移動ノードのインターフェースの識別情報を連結することによって得ることができ、ローカルアドレスＬＣＯＡ（当業者に周知のLocal Care-Of Addressの頭文字の略）と呼ばれる。仮想アドレスＶＣＯＡは、最初の一時的なアドレスとして機能する。移動ノードは、移動ノードは、ホームエージェント及び領域の外にある対応ノードに、この一時的アドレスをモバイルＩＰｖ６プロトコルのメッセージの標準関連更新メッセージを用いて通知する。移動ノードへ領域の外から送信される全てのパケットは、モビリティネットワークのそのアドレスＶＣＯＡに対して送信される。次に、モビリティサーバは、これらのパケットを遮断し、ＬＣＯＡアドレスの移動ノードに転送する。しかし、これらのパケットを送信可能なモビリティサーバに対し、ＬＣＯＡ及びＶＣＯＡアドレスに対応するものを通知しなければならない。移動ノードは、これらの２つのアドレスを要求してすぐに、対応するもの（ＬＣＯＡ、ＶＣＯＡ）のモビリティネットワークに、ＨＭＩＰｖ６登録リクエストパケットを送信することによって通知する。この登録リクエストは新たな経路更新あて先オプションヘッダを有するＩＰｖ６パケットである。
【００７６】
図１０は、ＨＭＩＰｖ６プロトコルに従ったこの種の登録リクエストヘッダＢＲＱを示す。このヘッダは、１バイトの長さで９と等しい値をとるＯＴフィールドを含み、リクエストが経路更新リクエストであることを示す。１バイトの長さで３２と等しい値をとるＯＬフィールドは、最初の２つのフィールドをカウントすることなくオプションのバイト長をアナウンスする。１バイトの長さのＭＯＤＥフィールドは、モビリティサーバが使用するプロトコルの種類を示し、値０がモバイルＩＰｖ６プロトコルに対応し、値１がモバイルＩＰｖ６を有するＨＭＩＰｖ６プロトコルに対応し、値２がモバイルＩＰｖ６なしのＨＭＩＰｖ６プロトコルに対応する。１バイトのＰＬＥＮフィールドは、モビリティネットワークのネットワークプレフィックスの長さを示す。モビリティサーバがＰＬＥＮフィールドに示される情報を不要とするため、このフィールドはゼロに初期化されてもよい。２バイト長のＳＥＱＮ（当業者に周知のSEQuence Number）フィールドは、シーケンス更新メッセージへの受信ノードと、更新メッセージとそれらの確認応答（バインディング・アクノリッジメントとして当業者に知られているもの）とを関連付けるための送信機に適用される。４バイトの長さのＬＴＩＭフィールド（当業者に周知のLife TIMeの頭文字の略）は、最後の更新メッセージの通知の期限が切れるまでの残りの秒数を示す。１バイトの長さのＳＯＴフィールドは、１０２と等しい値をとり、「モバイル情報」サブオプションを含む。１バイトの長さのＳＯＬフィールドは、２２と等しい値をとり、最初の２つのフィールドをカウントすることなくサブオプションの長さをバイトで通知するためのものである。１６バイトの長さのＭＳＡＤフィールドは、旧モビリティサーバのアドレスを示す。ＨＭＩＰｖ６ドメインへの最初の接続の場合では、このフィールドはゼロに初期化される。１バイトの長さのＯＴフィールドは、２０１と等しい値をとり、ホームアドレスを通知するためのものである。１バイトの長さのＯＬフィールドは、１６と等しい値をとり、最初の２つのフィールドをカウントすることなくオプションの長さをバイトで通知する。ＨＯＡＤフィールドは、移動ノードのホームアドレスを示す。登録リクエストＢＲＱは、該登録リクエストＢＲＱによって構成される情報パケットの長さをＩＰｖ６プロトコルによって要求される標準の長さへと調整することを意図する値のない所定の数のフィリングフィールドＰＡＤを含む。
【００７７】
ドメイン内の全ての対応ノードに対し、移動ノードは、一時的アドレスとしてＬＣＯＡアドレスを有するモバイルＩＰｖ６フォーマットの対応付け情報（Binding Updateとして当業者に周知）を送らなくてはならない。従って、これら対応ノードによって移動ノードへ送信されるパケットは、一時的ローカルアドレスに直接送られる。移動先の領域内で移動する限り、移動ノードは、そのＶＣＯＡアドレスを維持し、新たなローカルリンクに関連した新たなnＬＣＯＡアドレスのみを取得する。移動ノードは、モバイルＩＰｖ６フォーマットの登録更新のために、新たなｎＬＣＯＡのアドレスの領域内の全ての通信相手に通知をする。
【００７８】
図１１は、ＨＭＩＰｖ６プロトコルに適合したＢＲＦＲ登録更新パケットの構成を示す。このパケットは、１バイトの長さで１０と等しい値をとり、要求がバインディング・アップデートであることを示すＯＴフィールドを有する。１バイトの長さで、８と等しい値をとるＯＬフィールドは、最初の２つのフィールドをカウントすることなくオプションのバイト長を通知するためのものである。１バイトのＦＬＧＳフィールドは、１セットのフラグを含み、更新であることを示すために１に初期化されるためのものである。１バイトの長さのＰＬＥＮフィールドは、モビリティネットワークのネットワークプレフィックスの長さを示す。モビリティサーバがこの情報を不用とするので、このフィールドはゼロに初期化されてもよい。２バイトの長さのＳＥＱＮフィールドは、受信ノードによるシーケンス更新メッセージや、更新メッセージに関する送信機による応答通知に用いられる。４バイトの長さのＬＴＩＭフィールドは、最後の更新メッセージの通知の期限が切れるまでの残りの秒数を示す。１バイトの長さのＯＴフィールドは、２０１に等しい値をとり、ホームアドレスを通知するためのものである。１バイトの長さのＯＬフィールドは、１６と等しい値をとり、オプションのバイトの長さを、最初の２つのフィールドをカウントすることなく通知するためのものである。そして、ＨＯＡＤフィールドは、移動ノードのホームアドレスを示す。
【００７９】
２つのＨＭＩＰｖ６領域の間で移動した場合、移動ノードは最初の一時的アドレスＶＣＯＡを変更し、旧アドレスＶＣＯＡに送信されたパケットが紛失する。この紛失を制限するため、ＨＭＩＰｖ６プロトコルによってフォワードハンドオーバと呼ばれるハンドオーバが実行される。このフォワードハンドオーバは、具体的には以下のようにして実行される。すなわち、まず、移動ノードがＭＳＡＤフィールドの旧モビリティサーバのアドレスを有するＨＭＩＰｖ６登録リクエストを送信する。このリクエストを受信して、新たなモビリティサーバは、領域における変更を検出し、フォワーディング・リクエストを、新たなＶＣＯＡアドレスを特定した旧モビリティサーバに送信する。フォワーディング・リクエストは、上述のバインディング・アップデートメッセージであり、特別なＦＬＡＧフィールドを有する。
【００８０】
図１２は、ＨＭＩＰｖ６プロトコルに適合するハンドオーバリクエストＦＷＲＱの構成を示す。このリクエストは、１バイトの長さで１９８と等しい値をとり、リクエストが特定のバインディング・アップデートであることを示すＯＴフィールドを有する。１バイトの長さのＯＬフィールドは、２４と等しい値をとり、最初の２つのフィールドをカウントすることなくオプションのバイト長を通知するためのものである。１バイトの長さのＦＬＡＧフィールドは、０×２２に初期化されている（０×２は、これがハンドオーバリクエストであることを示し、０×２０は、ＬＴＩＭフィールドの直ぐ後ろに移動ノードのＶＣＯＡアドレスを備えるフィールドがあることを示す）。１バイトの長さのＰＬＡＮフィールドは、モバイルネットワークのプレフィックスの長さを示す。このフィールドは、送信時にはゼロに初期化され、受信時には無視される。ＳＥＱＮフィールドは、２バイトの長さで、受信ノードによって更新メッセージを順序付けるためと、送信機による更新メッセージを受信した旨の確認応答とに使用される。この移動ノードは、同じ目的地に送られる前の更新メッセージ内で使用されるシーケンスの数より大きな数のシーケンスを使用しなければならない。４バイトの長さのＬＴＩＭフィールドは、最終更新メッセージの通知の期限が切れるまでの残りの秒数を示す。１６バイトの長さのＶＣＯＡフィールドは、移動ノードの新たなバーチャルアドレスを含む。１バイトの長さのＯＴフィールドは、２０１と等しい値をとり、ホームアドレスを通知する。１バイトの長さのＯＬフィールドは、１６と等しい値をとり、オプションのバイト長を最初の２つのフィールドをカウントすることなく通知するためのものである。そして、ＨＯＡＤフィールドは、移動ノードのホームアドレスを示す。
【００８１】
従って、上記のフォワーディング・リクエストの対象である旧モバイルサーバは、旧ＶＣＯＡアドレスのパケットを新たなＶＣＯＡアドレスへ転送し、これによって移動ノードの領域が変更される際に送信されるパケットの紛失が制限される。ホームネットワークへと再移動した場合、移動ノードは、一時的アドレスを破棄し、モビリティエージェントなしで動作する。更に、領域が変更された場合の伝送プロセスでパケットが紛失することを防止するため、移動ノードが上述のフォワーディング・リクエストをその最後のモビリティサーバへ通知し、その結果この最後のサーバが送信されるパケットをホームアドレスへと転送する。
【００８２】
図１３は、本発明者によるＮＣＨＭＩＰｖ６と呼ばれる新たなプロトコルを使用する遠隔通信システムＳＹＳＴＩを示す。ＮＣＨＭＩＰｖ６とは、ネットワークコントロールド（Network Controlled）ＨＭＩＰｖ６という意義である。そのプロトコルは、上述のＨＭＩＰｖ６プロトコルの特定のリソースを生かす。このシステムＳＹＳＴＩは、モバイルＩＰインターネット・ネットワークと、移動ノードＮＭに対するＩＩｖ６ネットワークへのアクセスルータＲＡとを有する。モビリティ管理部ＧＭは、移動ノードによるハンドオーバと呼ばれるアクセスポイントの変更についての意思決定プロセスで本質的な役割を果たす。各アクセスルータＲＡはモビリティ管理部ＧＭに関連付けられている。データベースＢＤは、パラメータをホストするためのモビリティ管理部ＧＭに関連し、ハンドオーバと、モビリティ管理部ＧＭが依存するアクセスポイントＰＡに関する情報との管理に役立つ。本発明に基づいてＮＣＨＭＩＰｖ６プロトコルをサポートする領域において、各アクセスポイントＰＡは、アクセスルータのインターフェースと関連し、モビリティ管理部ＧＭの制御に従って動作し、隣接アクセスポイントの集合を有する。隣接アクセスポイントのリストは、モビリティ管理部ＧＭに関連したデータベースＢＤに格納され、データベース[ＢＤ]（sic）は、ハンドオーバの実行に関する決定に用いられる情報を格納する。アクセスポイントは、単一の識別情報(そのセルネームか物理的な添付アドレス)、関連アクセスルータのインターフェースのプレフィックス、若しくはこのプレフィックスの長さから識別される。モビリティ管理部は、これらのアクセスルータに、本発明に従ったＮＣＨＭＩＰｖ６プロトコルをサポートする旨を「ネットワークによる制御」モードを示す追加のＭＯＤＥフィールドを有するＨＭＩＰｖ６プロトコルの１つと同様な情報パケットを周期的に広めることによって通知する。存在するＭＯＤＥフィールドの新たな値が、この目的のために定義され、３に初期化され、ネットワークモードによる制御される制御を示す。移動ノードＮＭが、本発明に従ってＮＣＨＭＩＰｖ６プロトコルをサポートする新たな領域へ移動した場合、そのアクセスルータから、「ネットワークによる制御」ＭＯＤＥフィールドがＨＭＩＰｖ６プロトコルで定義されるものと同様なモビリティサーバオプションとともにルータ通知を受信する。移動ノードＮＭは、ＨＭＩＰｖ６プロトコルの場合で上述したものと類似の２つの一時的アドレスを取得する。２つの一時的アドレスは、モビリティ管理部レベルでのＶＣＯＡアドレス及びそのローカルリンクでのＬＣＯＡアドレスである。次に、移動ノードＮＭは、そのモビリティ管理部との関係(ＬＣＯＡ、ＶＣＯＡ)を、ＨＭＩＰｖ６フォーマットの登録リクエストで送信することよって登録し、ホームエージェント及びその関連ノードとの関係（ＶＣＯＡ、ホームアドレス）を、上述したようなＨＭＩＰｖ６フォーマットのバインディング・アップデートメッセージを用いて登録する。モビリティ管理部は、新たな関係を受け入れる場合は、肯定的な関連アクノリッジメント（バインディング・アクノリッジメント）をモバイルノードＮＭへ返信するとともに、その現アクセスポイントの隣接アクセスポイントのリストを含む情報メッセージを返信しなければならない。モビリティ管理部は、現アクセスポイントをそのアクセスルータを介して識別する。しかし、ネットワークが、２つのアクセスポイントＰＡが同一のイーサネット（登録商標）リンク内に存在することを許容した場合、移動ノードＮＭは、モビリティ管理部が、該移動ノードＮＭが関連するアクセスポイントを特定できるようにするために登録リクエストのなかで現時点でのアクセスポイントの識別情報を伝達しなければならない。これは、ＨＭＩＰｖ６プロトコルの説明で上述したものと同様の登録リクエストを形成する情報パケットによってなされ、この情報パケットは「アクセスポイント情報」と呼ばれる新たなサブオプションを含んでいる。
【００８３】
図１４は、この種の情報パケットＢＲＱＩに使用されるフォーマットの概略図である。１バイトの長さのＳＯＴフィールドが１０３に初期化され、これが新たな「アクセスポイント情報」サブオプションであることを示す。１バイトの長さのＳＯＬフィールドは、１０と等しい値をとり、最初の２つのフィールドをカウントすることなくサブオプションのバイトの長さを通知するためのものである。１バイトの長さのＰＡＩＤフィールドは、モビリティ管理部によって割り当てられたアクセスポイントの数値の識別情報を含む。移動ノードが、一度対応(ＰＡＩＤ，ＰＡＮＭ)を知らされた場合、モビリティ管理部と移動ノードとの間で、この数値の識別情報が、対応するアクセスポイントを特定するために使用される。数値の識別情報（１〜１２８の間）が１バイトを必要とするとともに、８−キャラクターネームが８バイトを必要とするので、更新パケットのサイズを小さくすることが可能となる。１バイトのＰＲＦＥ領域は、移動ノードＮＭがネットワークの補助なしでハンドオーバを実行することが強制された場合に、アクセスポイントのそれぞれのネットワークからの優先性（preference）の使用を示す。このＰＲＥＦフィールドの高い値は、このアクセスポイントが優先的に選択されたことを示す。一方、アクセスポイントが、ゼロ値のＰＲＥＦフィールドを有した場合、移動ノードＮＭはこのアクセスポイントを無視し、リストから該アクセスポイントを除外する。８バイトの長さのＰＡＮＭフィールドは、アクセスポイントで制御されるセル名を示す。このＰＡＮＭ領域は、アクセスポイントへの物理的な添付パラメータ、又は、このアクセスポイントによって管理されるセルを示す。このパラメータが通知された移動ノードは、対応するアクセスポイントに接続することができる。ここに記載される本発明の実施態様では、このＰＡＮＭフィールドは、アクセスポイントによって管理されるセルの名前に対応するが、アクセスポイントの無線リンクカードの物理的アドレスを示すものでもよいし、アクセスポイントのイーサネット（登録商標）アドレス又は関連するアクセスルータのインターフェースのイーサネット（登録商標）アドレスであってもよい。
【００８４】
本発明に従ったＮＣＨＭＩＰｖ６プロトコルをサポートする領域で、移動ノードは、継続的に現在のアクセスポイントの無線リンクの品質をチェックする。品質が閾値Ｓ１以下に落ちた場合、移動ノードは、現アクセスポイントの隣接アクセスポイントとの通信品質の測定を行い、ハンドオーバリクエストにおいて測定値をモビリティ管理部へ送信する。移動ノードは、現アクセスポイントとのリンクと同様に、隣接アクセスポイントとのリンクの品質測定値がアクセスポイントのリストに含まれた場合のみ、ハンドオーバリクエストを送信する。隣接アクセスポイントのリストは、移動ノードからの登録リクエストをアクノリッジするメッセージにおいてモビリティ管理部によって送信される上述したような「アクセスポイント情報」パケットにより更新される。隣接アクセスポイントリストに含まれるアクセスポイントへの制限は、モビリティ管理部による第１の選択によってハンドオーバリクエストＲＢのサイズを制限する。ハンドオーバリクエストはＩＰｖｔ６パケットであり、ハンドオーバリクエストと呼ばれる新たなあて先オプションを含む。
【００８５】
図１５は、この種の情報パケットＨＶＲＱに使用されるフォーマットの概略を示す図である。１バイトの長さのＯＴフィールドは１１と等しい値をとり、リクエストがハンドオーバリクエストであることを示す。１バイトの長さのＯＬフィールドは、オプションのバイトの長さを、最初の２つのフィールドをカウントすることなく通知するためのもので、（１２．Ｎ）+４．（（Ｎ+1)modulo２）と等しくなるように算出される。ここで、Ｎは通知されたアクセスポイントの数である。アクセスポイントの数が偶数の場合、あて先オプションが常に８の倍数のバイト長を有するようにするため、値を有しない４つのパッキングバイトとしなければならない。１バイトの長さのＭＯＤＥフィールドは、３に初期化されており、本発明の実施例のモードである「ネットワークによる制御」モードを示す。ＮＰＡフィールドは、１バイトの長さで、通知されたアクセスポイントの数を示す。この領域は、モビリティ管理部がこの情報を必要としないので、実質的に案内の目的で用いられる。ＳＥＱＮフィールドは２バイトの長さで、受信ノードで継続的更新メッセージのために使用され、また、更新メッセージに関連したアクノリッジのために送信機に使用される。１バイトの長さのＳＯＴフィールドは、１１０と等しい値をとり、新たな「アクセスポイント測定」サブオプションであることを示す。１バイトの長さのＳＯＬフィールドは、２と等しい値をとり、サブオプションのバイト長を、最初の２つのフィールドをカウントすることなく通知するためのものである。ＰＡＩＤフィールドは、１バイトの長さで、アクセスポイントの数字による識別情報を含む。ＱＵＡＬフィールドは、１バイトの長さで、移動ノードとアクセスポイントとの間で無線リンクに対して測定されたＳＮ比の値により実現される品質値を含む。ＯＴフィールドは、１バイトの長さで２０１と等しい値をとり、ホームアドレスを通知するためのものである。ＯＬフィールドは、１バイトの長さで１６と等しい値をとり、オプションの長さを最初の２つのフィールドをカウントすることなくバイトで通知するためのものである。そして、ＨＯＡＤフィールドが移動ノードのホームアドレスを示す。
【００８６】
モビリティ管理部は、測定結果の内容を調べ、それを送信し、どの隣接アクセスポイントに移動ノードが接続すべきかを特定する。データ管理部は、ハンドオーバの実行に関する決定を行う手助けになる可能性のあるデータベース内の様々な情報を保持する。例えば、データ管理部がアクセスポイントの現在の負荷状態についての情報を保持する場合、モビリティ管理部は負荷を分配するようにしてもよい。モビリティ管理部が、移動ノードの新たなアクセスポイントを構成すべき選択されたアクセスポイントを特定するハンドオーバリクエストに応答する。同時に、モビリティ管理部は、新たな関連（ＶＣＯＡ、ｎＬＣＯＡ）を生成し、ｎＬＣＯＡは、選択されたアクセスポイントに関連するモバイルノードの将来的なアドレスとなり、これによって移動ノードに送信されるデータの複製が可能となり、該データが同時に新旧のアクセスポイントに送信される。新たなアクセスルータのネットワークプレフィックスと、移動ノードのインターフェースの物理的な識別情報との連結を使用して生成されるため、新たなアドレスは予想可能なものであり、その構成はしばしば非飽和構成（stateless  configuration）と呼ばれる。モビリティ管理部は、「ハンドオーバレスポンス」と呼ばれる新たな宛名オプションが含まれるＩＰｖ６パケットにより応答する。
【００８７】
図１６は、この種の情報パケットＨＶＲＴで使用されるフォーマットの概略を示す図である。ＯＴフィールドは、１バイトの長さで１２と等しい値をとり、リクエストがハンドオーバレスポンスであることを示す。ＯＬフィールドは、１バイトの長さで、最初の２つのフィールドをカウントすることなく、オプションの長さをバイトで通知するためのもので、２８と等しい値が選択される。ＭＯＤＥフィールドは、１バイトの長さで、モビリティ管理部で使用されるプロトコルを特定するためのものである。ＮＰＡフィールドは、１バイトの長さで、通知されたアクセスポイントを示す。このフィールドは、実質的に案内の目的で使用され、モビリティ管理部に対して必要とされない。ＳＥＱＮフィールドは、２バイトで、受信ノードにより継続的な更新メッセージのために使用され、送信機により、更新メッセージに関連したアクノリッジのために使用される。本発明のこの実施モードでは、ＳＯＴフィールドは、１バイトで１１４と等しい値をとり、新たな「選択アクセスポイント」サブオプションであることを示す。ＳＯＬフィールドは、１バイトの長さで、２２と等しい値をとり、サブオプションの長さを、最初の２つのフィールドをカウントすることなくバイトで通知するためのものである。ＩＤフィールドは、１バイトの長さを有し、選択されたアクセスポイントの識別情報を含む。ＰＡＮＭフィールドは、１バイトの長さで、選択されたアクセスポイントが接続されるアクセスルータプレフィックスの長さを示す。ＲＡＡＤフィールドは、１６バイトの長さで、選択されたアクセスポイントが接続されるアクセスルータのアドレスを識別するためのものである。
【００８８】
上述したハンドオーバリクエストを受信した後、移動ノードは、その将来のｎＬＣＯＡアドレスを、その将来のアクセスネットワークのネットワークプレフィックスを有する物理的インターフェース識別情報を連結させることによって構成し、ハンドオーバを実行する。新たなアクセスポイントに接続するとすぐに、移動ノードは隣接通知を新たな対応（ＩＰアドレスｎＬＣＯＡ、リンク層アドレス）の通知のために送信する。また、移動ノードは、新たなアクセスルータから即座にルータ通知を受信できるようにするために、ルータリクエストを伝達する。これにより、本発明に従ったＮＣＨＭＩＰｖ６プロトコルをサポートするネットワーク内のルータアナウンスの普及周波数（dissemination frequency）を低減することが可能となり、ひいては無線リンクの過負荷を制限することが可能となる。ルータが、既に移動ノードへの入力、又は、送信するデータを有した場合、新たなアクセスルータは、モバイルノードの隣接通知を、該隣接通知において通知されたモバイルノードのリンク層アドレスに対応するＩＰｎＬＣＯＡアドレスを生成することによってルータがルーティングテーブルを更新したことに従った将来のｎＬＣＯＡアドレスを受信し、移動ノードに対するパケットが既にモビリティ管理部によって再送信されるので、移動ノードとの接続が途切れない。新たなアクセスルータからのルータ通知を受信することにより、移動ノードは、使用ライフ又は構成フラグ等の新たなｎＬＣＯＡアドレスのパラメータを完成させて更新する。次に、移動ノードは、価値を下げるためにタイムアウトを始め、旧プレフィックス及び初期設定ルータを無効にする。移動ノードは、領域内を移動した場合、登録リクエストをそのモビリティ管理部へと送信してハンドオーバリクエストによって以前に生成された関連（ＶＣＯ、ｎＬＣＯＡ）を更新させ、データパケットの複製と、送信の中断を可能にする。一方、移動ノードは、領域間を移動した場合、その物理的アドレスｎＬＣＯＡに加えて新たな仮想アドレスｎＶＣＯＡを要求し、モバイルＩＰフォーマットの新たな登録リクエスト及びバインディング・アップデートメッセージを新たなモビリティ管理部とその対応ノードとのそれぞれに伝達することにより、該仮想アドレスの登録を行う。移動ノードも価値を下げ、その旧仮想アドレスを無効にしなくてはならない。このリクエストを受信することにより、新たなモビリティ管理部は、ＨＭＩＰｖ６プロトコルに適合するフォワーディング・リクエストを構成する特別なバインディングメッセージを旧モビリティ管理部へ伝達し、その結果旧モビリティ管理部が移動ノードの旧アドレスへのパケットを転送する。旧モビリティ管理部は以前の関連(ＶＣＯＡ、ｎＬＣＯＡ)を新たな関連（ＶＣＯＡ、ｎＶＣＯＡ）に更新する。移動ノードが移動してアクセスポイントを変更した場合には常に、隣接アクセスポイントのリストが更新される。これは、特に新たな登録に従ったモビリティ管理部によって発信されたアクセスポイントについての情報パケットによって行われる。モビリティ管理部は、新たな隣接アクセスポイントを加えることを要求した場合、数字による識別情報、プリファレンス及び名前を有するオプションの完全なフォー��（form）を使用しなければならない。また、モビリティ管理部は、アクセスポイントをリストから除外することを要求した場合には、除外されるアクセスポイントの識別情報及び初期値としてゼロにされるプリファレンスを有する縮小されたフォームのオプションを使用しなければならない。さらに、モビリティ管理部は、隣接するアクセスポイントのリスト内のアクセスポイントのプリファレンスの更新を要求した場合には、新たな参照値を有する縮減されたフォームを使用しなくてはならない。隣接アクセスポイントのリストに既に存在するアクセスポイントについての情報を送信するためにモビリティ管理部によって縮減されたフォームの使用により、実際にこの目的のために使用される情報パケットのサイズが制限可能となる。
【００８９】
図１７〜２０は、既存のＨＭＩＰｖ６プロトコルに従ったデータ通信システムのハンドオーバと、新たなＮＣＨＭＩＰｖ６プロトコルに従ったデータ通信システムのハンドオーバとの相違点を説明するための図である。
【００９０】
図１７は、移動ノードＮＭが領域内、すなわち同一の領域内でハンドオーバをする場合のＨＭＩＰｖ６プロトコルを使用した通信システムを示す。ステップ１において、移動ノードＮＭとその現アクセスポイントとで維持される通信の品質が低下する。ステップ２において、移動ノードＮＭは、無線ハンドオーバを新たなアクセスポイントＰＡ２への無線ハンドオーバをする。ステップ３において、移動ノードＮＭは、アクセスルータＲＡ２からの利用で可能なルータの通知を待つ。ステップ４において、移動ノードＮＭは、ルータ通知をアクセスルータＲＡ２から受信する。ステップ５において、移動ノードは、新たなアドレスｎＬＣＯＡを取得する。ステップ６において、移動ノードＮＭは、モビリティサーバＮＳＡにMＨＭＩＰｖ６フォーマットの登録リクエストを送信する。ステップ７で、移動ノードＮＭ用のデータパケットが、モビリティサーバＭＳＡによって、アドレスｎＬＣＯＡへと再送される。
【００９１】
図１８は、同様の場面で、ＮＣＨＭＩＰｖ６プロトコルを使用した本発明の送信システムを示す。移動ノードＮＭは、同一の領域内を移動する。ステップ１で、モバイルノードＮＭとその現アクセスポイントＰＡ１とで維持される通信の品質が低下し、この通信品質の低下が、上述した品質測定の値が閾値Ｓ１よりも低いという事実によって認識される。ステップ２で、移動ノードＮＭは、ハンドオーバリクエストを、現アクセスポイントに関連したアクセスポイントＰＡ１及びアクセスルータＲＡ１を制御するモビリティ管理部へ送信する。ステップ３で、モビリティ管理部は、ターゲットのアクセスルータＲＡ２を選択する。ステップ４で、モビリティ管理部は、移動ノードＮＭへそのハンドオーバリクエストに応答し、この応答には、新たなアドレスｎＬＣＯＡが含まれる。ステップ５で、モビリティ管理部は、移動ノードＮＭへのデータパケットをｎＬＣＯＡへとあて先を変更（リダイレクト）する。ステップ６で、移動ノードＮＭは、新たなアドレスｎＬＣＯＡを取得し、選択された対応アクセスポイントＰＡ２へハンドオーバする。ステップ７で、移動ノードＮＭは、新たなアクセスルータＲＡ２に、ｎＬＣＯＡの隣接の通知と、ルータ通知に対するリクエストとを送信する。ステップ８において、アクセスルータＲＡ２は、移動ノードＮＭに、ルータ通知を伝達する。ステップ９で、移動ノードＮＭは、有効時間及び新たなパラメータを更新する。ステップ１０で、移動ノードＮＭは、モビリティ管理部にＨＭＩＰｖ６フォーマットの登録リクエストを伝達する。
【００９２】
図１９は、移動ノードＮＭが領域間をハンドオーバ、すなわち、第１のモビリティサーバＭＳＡ１が管理する第１のモビリティ領域から第２のモビリティサーバＭＳＡ２が管理する第２のモビリティ領域へ移動する場合のＨＭＩＰｖ６プロトコルを使用した通信システムを示す。ステップ１において、移動ノードＮＭと、第１のモビリティサーバＭＳＡ１の制御下にある現アクセスポイントとの間で維持される通信の品質が低下する。ステップ２で、移動ノードＮＭは、第２のモビリティサーバＭＳＡ２に管理される新たなアクセスポイントＰＡ２への無線ハンドオーバを実行する。ステップ３で、移動ノードＮＭは、利用可能なルータ通知を待つ。ステップ４で、移動ノードＮＭは、アクセスルータＲＡ２からルータ通知を受信する。ステップ５で、移動ノードは、２つの新たなアドレスｎＬＣＯＡ及びｎＶＣＯＡを取得する。ステップ６で、移動ノードＮＭは、ＨＭＩＰｖ６フォーマットの登録リクエストを、モビリティサーバＭＳＡ２へ伝達する。ステップ７において、移動ノードＮＭへのデータパケットが、第２のモビリティサーバＭＳＡ２によりアドレスｎＬＣＯＡへリダイレクトされる。ステップ８において、第２のモビリティサーバＭＳＡ２は、第１のモビリティサーバＭＳＡ１へフォワーディング・リクエストを送信する。ステップ９で、移動ノードＮＭへのデータパケットは、第１のモビリティサーバＭＳＡ１によりアドレスｎＶＣＯＡへリダイレクトされる。
【００９３】
図２０は、上述した場合と同様に、移動ノードＮＭが領域間をハンドオーバする場合のＮＣＨＭＩＰｖ６プロトコルを使用した通信システムを示す。ステップ１で、移動ノードＮＭは、品質測定の値が閾値Ｓ１よりも低下したことを判別することにより、該移動ノードＮＭと現アクセスポイントＰＡ１との間で維持される通信の品質が低下したことを識別する。ステップ２で、移動ノードＮＭは、ハンドオーバリクエストを、アクセスポイントＰＡ１及び該アクセスポイントＰＡ１に関するアクセスルータＲＡ１を制御下に置く第１のモビリティ管理部ＧＭ１へ送信する。ステップ３で、モビリティ管理部ＧＭ１はターゲットアクセスルータＲＡ２を選択する。ステップ４で、第１のモビリティ管理部ＧＭ１は、移動ノードＮＭへ、新たなアドレスｎＬＣＯＡを含むそのハンドオーバリクエストに対する応答を伝達する。ステップ５で、第１のモビリティ管理部ＧＭ１は、移動ノードＮＭへのデータパケットを、新たなアドレスｎＬＣＯＡにリダイレクトする。ステップ６で、移動ノードＮＭは、その新たなアドレスｎＬＣＯＡを構成し、対応する選択アクセスポイントＰＡ２へハンドオーバする。ステップ７で、移動ノードＮＭは、その新たなアクセスルータＲＡ２にｎＬＣＯＡ隣接通知及びルータ通知に対するリクエストを伝達する。ステップ８で、アクセスルータＲＡ２は、ルータ通知を移動ノードＮＭに伝達する。ステップ９で、移動ノードＮＭは、新たなアドレスｎＶＣＯＡを取得する。ステップ１０で、移動ノードＮＭは、ＨＭＩＰｖ６フォーマットの登録リクエストを、新たなアクセスポイントＰＡ２及びアクセスルータＲＡ２を制御下におく第２のモビリティ管理部ＧＭ２に伝達する。ステップ１１で、移動ノードＮＭへのデータパケットは、第２のモビリティ管理部ＧＭ２によってアドレスｎＬＣＯＡにリダイレクトされる。ステップ１２で、第２のモビリティ管理部ＧＭ２は、フォワーディング・リクエストを第１のモビリティ管理部ＧＭ１に伝達する。ステップ１３で、移動ノードＮＭへのデータパケットは、第１のモビリティ管理部ＧＭ１によって、アドレスｎＶＣＯＡにリダイレクトされる。
【００９４】
以下、上記本発明の実施の形態の種々の変形例について説明する。
【００９５】
上述の例では、第１の閾値Ｓ１より低い品質測定を識別することにより、その無線リンクの品質の低下を検出する移動ノードが、ハンドオーバリクエストを出力し、原則としてこのリクエストの再送を、モビリティ管理部から返信による応答を受信するまで継続した。本発明の１つの変形例では、品質測定が第２の閾値Ｓ２以下に低下した場合、あるいは、いかなる応答を受信することなく、伝達されたハンドオーバリクエストの数が制限値を超えた場合、移動ノードは、アクセスポイントのプリファレンスを考慮するとともに、現アクセスポイントに隣接し、最良の通信品質を提供可能なアクセスポイントと関連するセルを選択することによらないでハンドオーバをそれ自身で決定し、且つ実行する。
【００９６】
第１の閾値Ｓ１は、現アクセスポイントに制御されるセルの制御下にあるモビリティ管理部と、ＩＰｖ６ヘッダの「フローラベル」と呼ばれる領域によって特定されるデータフローの伝達環境とにより設定される。モビリティ管理部は、実行される無線リンクの品質制御に用いられる閾値を構成し、「制御閾値」と呼ばれる構成メッセージを常に送信する。この更新メッセージは、「制御閾値」と呼ばれる新たなサブオプションを含むＩＰｖ６パケットである。また、更新メッセージは、例えば、１バイトの長さで、１３に等しい値が割り当てられ、さらにモビリティ管理部によって構成されることが意図されることを示す制御閾値と呼ばれるＯＴフィールドと、１バイトの長さを有し、２と等しい値が割り当てられ、最初の２つのフィールドをカウントすることなくオプションの長さをバイトで通知するための第２のＯＬフィールドと、２バイトの長さを有する第３の閾値フィールドとを備え、モビリティ管理部によって選択される制御閾値を決定するものである。この閾値フィールドがゼロの場合、移動ノードは、直ちにハンドオーバを開始する。
【００９７】
伝達されるデータのフローが、ハンドオーバの結果をあえて許容しない場合、モビリティ管理部は、ハンドオーバの実行の遅延のために比較的低い値を第１の閾値として選択する。一方、伝達されるデータのフローに、無線リンクレベルで高い品質のサービスが必要な場合、モビリティ管理部は、比較的高い値を第１の閾値として選択する。
以下、公知のＨＭＩＰｖ６プロトコルを使用した上記本発明の実施の形態の態様と比べることにより、本質的な相違点を明らかにする。
【００９８】
ＨＭＩＰｖ６プロトコルでは、移動ノードは、無線カードのハンドオーバを受ける。本発明に係るプロトコルによれば、移動ノードは、現アクセスポイントと維持する無線リンクの品質を制御する。この品質の測定値が所定の閾値以下に低下した場合、移動ノードは、その現アクセスポイントに隣接するアクセスポイントと確立できる無線リンクの品質測定の値を収集し、これらの測定値を例えばハンドオーバリクエストに含ませて移動ノードへ伝達する。本発明のプロトコルでは、移動ノードは、現アクセスポイントに隣接するアクセスポイントのリストを維持し、このリストは、モビリティ管理部によって発信され、隣接アクセスポイントに関する情報メッセージによって各ハンドオーバが行われた際に更新される。
【００９９】
既存のＨＭＩＰｖ６プロトコルに準拠したモビリティサーバとしての役割を実行することに加え、モビリティ管理部は、さらに、本発明に係るＮＣＨＭＩＰｖ６プロトコルに準拠して、該モビリティ管理部の制御に従う移動ノードによるハンドオーバを実行するための決定プロセスを制御する。複数の移動ノードのうちのいずれか１つからハンドオーバリクエストを受信した場合は、モビリティ管理部は、この移動ノードが収集した品質測定の結果を分析し、該モビリティ管理部に関連するデータベースを検索し、移動ノードが接続されるべき選択されたアクセスポイントを識別する。次に、モビリティ管理部は、ハンドオーバリクエストに対する応答を、該ハンドオーバリクエストの送信元の移動ノードへ伝達し、該移動ノードの将来的なアドレスを予想し、送信すべきパケットを、複製して前記移動ノードの古いアドレスと新たなアドレスにリダイレクトする。そして、モビリティ管理部が、移動ノードから送信され、本発明に係るＮＣＨＭＩＰｖ６プロトコルに準拠した登録リクエストを受信するたびに、モビリティ管理部は、前記移動ノードに、隣接アクセスポイントのリストを更新できるようにするため、この移動ノードに対して選択された現アクセスポイントに隣接するアクセスポイントについての情報パケットを返信する。
【０１００】
以上説明したように、本発明によれば、モバイル送受信機又は移動ノードが例えば、会社の１以上の建物内の異なる階にあるアクセスポイントのような複数のアクセスポイントへの選択的なアクセスを管理することが可能となる。
【０１０１】
各アクセスポイントは、図１４に示すように、ＰＡＮＭフィールドに記載された、ＳＳＩＤ（当業者によって周知の標準ＩＥＥ８０２．１１によって定義されたService Set IDentifier）によって具現化される１つの独特の識別情報を有する。
【０１０２】
モビリティ管理部は、これらの識別情報を認識することができ、また、識別情報を、アドレス、参考となる建物及び建物の階といったカテゴリのいずれか１つに属する地理的位置情報に対応付けることができる。
【０１０３】
本発明の実施形態のこの態様の変形例では、識別情報は、分類目的のために備えられたデータベースに記載された種類に従って分類されてもよい。
【０１０４】
モビリティ管理部は、管理のためのモバイル送受信機のプロファイルを認識することができる。プロファイルを利用して、所定のモバイル送受信機の、ある特定のアクセスポイントへのアクセス権が制限されるようにしてもよい。
【０１０５】
例えば、第１のアドレスＩＰ１（モバイル送受信機のホームアドレスを識別するためのＨＯＡＤ領域に記述されるもの）を有する第１のモバイル送受信機が、第１の所定の建物の２階及び第２の所定の建物の３階に関連するアクセスポイントへ接続することの権限を与えるための許可を受け、第２のアドレスＩＰ２を有する第２のモバイル送受信機は、第１の所定の建物の３階に関連するアクセスポイントへの接続の権限を与える許可を受ける場合について説明する。ここで、より概略的には、第２のアドレスＩＰＮを有するＮ番目のモバイル送受信機は、所定の建物Ｗ及びＺのＸ階及びＹ階に関連するアクセスポイントへの接続の権限を与える許可を受ける場合について説明する。
【０１０６】
上述の異なる情報（アクセスポイントの識別情報及びアクセスポイントの位置情報）は、モビリティ管理部のデータベースに記録される。
【０１０７】
モバイル送受信機は、上述したように登録リクエストを伝達することによって上記の情報をモビリティ管理部とともに現アクセスポイントを介して記録し、登録リクエストは、具体的にはモバイル送受信機のホームアドレスを含む。次に、モビリティ管理部は、前記モバイ送受信機を識別し、そのデータベース内の対応するプロファイルを検索する。モビリティ管理部は、プロファイル及び現時点での位置情報（リクエストの際に得られる現アクセスポイントの識別情報から特定可能）から、例えば、所定の建物の所定の階に関連、モバイル送受信機に許可されたアクセスポイントを特定し、このモバイル送受信機の近傍に位置するアクセスポイントのリストを生成する。
【０１０８】
ここで、理解を容易にするため、モビリティ管理部が、所定の建物に配置されたモバイル送受信機から送信され、このモバイル送受信機のＩＰアドレス及び使用対象のアクセスポイントの識別情報を含むリクエストに応答し、この所定の建物の１以上の階に関連するアクセスポイントの識別情報のリストを生成する場合を例にして説明する。
【０１０９】
次に、モビリティ管理部は、モバイル送受信機に、このモバイル送受信機が接続を許可されるであろうアクセスポイントを識別するためのリストを伝達する。
【０１１０】
複数のアクセスポイントが同一の識別子を有した場合、モバイル送受信機は、追加の基準、例えば異なるアクセスポイントによって提供された通信品質に関連した基準に基づいて、これらのアクセスポイントのうちのいずれか１つを選択する。
【０１１１】
モビリティ管理部によってモバイル送受信機へ送信された情報により、例えば、第２世代のＧＳＭ無線電話ネットワーク、第３世代のＵＭＴＳ無線電話ネットワーク、ローカル無線ＷＬＡＮ８０２．１１ネットワーク、又はＧＰＲＳネットワーム等の技術的に異なるネットワークに属するアクセスポイントを指定される。これを具現化するため、許可されたアクセスポイントのリストが、このリストに挙げられた各所定のアクセスポイントの識別情報を含む第１のフィールドに加え、この所定のアクセスポイントに関連する通信ネットワークの種類を識別するための識別情報を含む第２のフィールドを有するようにするとよい。
【０１１２】
上述したように、モバイル送受信機は、上記リストによって識別される許可アクセスポイントと確立可能な通信の品質を測定する。
【図面の簡単な説明】
【０１１３】
【図１】本発明の１実施形態の１態様に従った遠隔通信システムを示すブロック図である。
【図２】第１の場面の遠隔通信システムの動作を説明するためのブロック図である。
【図３】第２の場面の遠隔通信システムの動作を説明するためのブロック図である。
【図４】この種のシステムで実施されるデータ通信方法を示すフローチャートである。
【図５】この種のシステムが有する送受信機が出力するハンドオーバリクエストを形成する信号を説明するための概略図である。
【図６】ハンドオーバリクエストに応答してモビリティ管理部が送信する信号を説明するための概略図である。
【図７】本発明の実施の形態の適用例に係る遠隔通信システムの構成を示す概略図である。
【図８】本発明の実施の形態の適用例のＨＭＩＰｖ６プロトコルに従ってモビリティサーバからその領域のアクセスルータへ送信される情報メッセージの「関連リクエスト」あて先オプションヘッダに要求されるフォーマットを説明するための概略図である。
【図９】本発明の実施の形態の適用例のＨＭＩＰｖ６プロトコルに適合するモビリティ情報オプションの構成を説明するための概略図である。
【図１０】本発明の実施の形態の適用例のＨＭＩＰｖ６プロトコルに従った登録リクエストヘッダを説明するための概略図である。
【図１１】本発明の実施の形態の適用例のＨＭＩＰｖ６プロトコルに適合した登録更新パケットの構成を説明するための概略図である。
【図１２】本発明の実施の形態の適用例のＨＭＩＰｖ６プロトコルに適合するハンドオーバリクエストＦＷＲＱの構成を示す。
【図１３】本発明の実施の形態の適用例に係る遠隔通信システムＳＹＳＴＩの構成を示す概略図である。
【図１４】情報パケットに使用されるフォーマットを説明するための概略図である。
【図１５】情報パケットに使用されるフォーマットを説明するための概略図である。
【図１６】情報パケットで使用されるフォーマットを説明するための概略図である。
【図１７】移動ノードが同一の領域内でハンドオーバをする場合の遠隔通信システムの動作を説明するための図である。
【図１８】移動ノードが同一の領域内でハンドオーバをする場合の本発明の実施の形態の適用例に係る遠隔通信システムの動作を説明するための図である。
【図１９】移動ノードが領域間をハンドオーバする場合の遠隔通信システムの動作を説明するための図である。
【図２０】移動ノードが領域間をハンドオーバする場合の本発明の実施の形態の適用例に係る遠隔通信システムの動作を説明するための図である。
【符号の説明】
【０１１４】
ＳＹＳＴ            遠隔通信システム
ＥＲＭ              モバイル送受信機
ＰＡ１ｉ〜ＰＡ２ｊ  アクセスポイント
ＺＡ１ｉ〜ＺＡ２ｊ  サービスエリア
ＤＩ１〜ＤＩ２      インターフェース装置
ＮＷ１〜ＮＷ２      通信ネットワーク
ＧＭ１〜ＧＭ２      モビリティ管理部
ＢＤ１〜ＢＤ２      データベース
ＤＭ１〜ＤＭ２      領域
【図１】
2005510988.tif 000003
【図２】
2005510988.tif 000004
【図３】
2005510988.tif 000005
【図４】
2005510988.tif 000006
【図５】
2005510988.tif 000007
【図６】
2005510988.tif 000008
【図７】
2005510988.tif 000009
【図８】
2005510988.tif 000010
【図９】
2005510988.tif 000011
【図１０】
2005510988.tif 000012
【図１１】
2005510988.tif 000013
【図１２】
2005510988.tif 000014
【図１３】
2005510988.tif 000015
【図１４】
2005510988.tif 000016
【図１５】
2005510988.tif 000017
【図１６】
2005510988.tif 000018
【図１７】
2005510988.tif 000019
【図１８】
2005510988.tif 000020
【図１９】
2005510988.tif 000021
【図２０】
2005510988.tif 000022
【国際調査報告】
2005510988.tif 000023
2005510988.tif 000024
2005510988.tif 000025
2005510988.tif 000026
2005510988.tif 000027
2005510988.tif 000028